(57)【特許請求の範囲】
【請求項１】
３相交流電力と直流電力との間の電力変換を相互、かつ、直接に行うことができる直流／交流系統連系装置であって、
３相交流電源と直流電源との間に設けられ、前記３相交流電源と前記直流電源との間をＯＮ／ＯＦＦする双方向スイッチ回路と、
前記３相交流電力における各相の電圧の大小関係に応じて区分された複数のモードに応じて各モードごとに異なるパターンをもつ第１のキャリア波形パターンを所定スイッチング周期で生成し、前記所定スイッチング周期内で前記第１のキャリア波形パターンと前記３相交流電力の各相の電圧に基づいて生成された第１の制御信号とから、前記３相交流電力のうち２相を選択する複数の線間電圧発生区間を求める仮想ＡＣ／ＤＣ変換処理を行い、該仮想ＡＣ／ＤＣ変換処理によって求められた前記複数の線間電圧発生区間に対応して前記複数のモードに応じて異なる第２のキャリア波形パターンを生成し、前記複数の線間電圧発生区間で選択された２相の線間電圧に対し、生成された前記第２のキャリア波形パターンと前記直流電力の相に対応した第２の制御信号とから、前記複数のモードに応じた異なる仮想ＤＣ／ＤＣ変換処理を行うように、前記双方向スイッチ回路のスイッチングパターンを生成する制御部と、
前記直流電源と前記双方向スイッチ回路との間を流れる電流の電流方向と電流量とを示す電流設定値を入力する電流設定部と、
前記直流電源と前記双方向スイッチ回路との間を流れる電流の電流方向と電流量とを検出する電流検出部と、
前記電流検出部が検出した電流方向と電流量とが前記電流設定値となるように信号レベルを増減した前記第２の制御信号を生成する電流調整部と、
を備えたことを特徴とする直流／交流系統連系装置。
【請求項２】
前記電流調整部は、前記電流調整部は、前記３相交流電力を前記直流電力へ変換する場合、前記直流電力の相間電圧に比して前記制御部での前記仮想ＤＣ／ＤＣ変換処理によって生成される前記所定スイッチング周期での平均直流電圧を大きくするとともに前記直流電力の相間電圧と前記平均直流電圧との差電圧の大きさによって電流量を調整する前記第２の制御信号を生成し、前記直流電力を前記３相交流電力へ変換する場合、前記直流電力の相間電圧に比して前記平均直流電圧を小さくするとともに前記直流電力の相間電圧と前記平均直流電圧との差電圧の大きさによって電流量を調整する前記第２の制御信号を生成することを特徴とする請求項１に記載の直流／交流系統連系装置。
【請求項３】
前記第２の制御信号を正の第２の制御信号とし、前記正の第２の制御信号を反転した負の第２の制御信号を生成する反転部を備え、
前記平均直流電圧の大きさは、前記正の第２の制御信号の信号レベルと前記負の第２の制御信号の信号レベルとの差に対応することを特徴とする請求項２に記載の直流／交流系統連系装置。
【請求項４】
前記制御部は、前記３相交流電力における最大電圧相、最小電圧相、及び中間電圧相を認識し、前記複数の線間電圧発生区間を、中間電圧相及び最小電圧相に対応した第１の区間と、最大電圧相及び最小電圧相に対応した第２の区間と、最大電圧相及び中間電圧相に対応した第３の区間とに分けて求めることを特徴とする請求項１〜３のいずれか一つに記載の直流／交流系統連系装置。
【請求項５】
前記第２のキャリア波形パターンは、前記複数の線間電圧発生区間のうち連続する２つの区間に跨って山型にレベルが変化するパターンを有することを特徴とする請求項１〜４のいずれか一つに記載の直流／交流系統連系装置。
【請求項６】
前記第２のキャリア波形パターンは、前記複数の線間電圧発生区間のそれぞれにおける２つの電圧相のうち電圧値の大きい電圧相を＋側相とし電圧値の小さい電圧相を−側相とするとき、前記線間電圧発生区間が切り換わる際に＋側相または−側相に共通する相がある場合、切り換わる２つの前記線間電圧発生区間に跨って山型にレベルが連続するパターンを有し、前記線間電圧発生区間が切り換わる際に＋側相と−側相との間で反転する相がある場合、切り換わる２つの前記線間電圧発生区間の境界で鋸歯状にレベルが変化するパターンを有することを特徴とする請求項１〜５のいずれか一つに記載の直流／交流系統連系装置。 
【発明の詳細な説明】
【技術分野】
【０００１】
本発明は、簡易な構成で、直流電力と交流電力との間の電力変換を相互、かつ、直接に行うことができる直流／交流系統連系装置に関する。
【背景技術】
【０００２】
一般的に、直流電力と交流電力とを相互に変換するＤＣ／ＡＣ変換器は、ＩＧＢＴなどのスイッチング素子を用いた三相フルブリッジが用いられる。この三相フルブリッジは、ＰＷＭコンバータとして用いられる。
【０００３】
一方、マトリクスコンバータを用いて交流電力と直流電力との変換を行うものとして、例えば、特許文献１には、３相−３相マトリクスコンバータを直流モータ駆動用に適用するものが記載されている。具体的には、一般的な３相−３相マトリクスコンバータの２つの出力が直流モータの電機子に供給され、３相−３相マトリクスコンバータの第３の出力が直流モータの界磁回路に接続され、さらに、相が対応したダイオードを介して入力電力ラインの各相に接続されている。
【先行技術文献】
【特許文献】
【０００４】
【特許文献１】特開２００３−８８１７４号公報
【発明の概要】
【発明が解決しようとする課題】
【０００５】
一方、ＤＣ／ＡＣ変換器としてのＰＷＭコンバータは、直流電圧を系統電圧よりも高くする必要がある。したがって、直流電圧、例えば蓄電池電圧が系統電圧よりも高い場合には、直流電圧を系統電圧に変換が可能であるが、蓄電池電圧が系統電圧よりも低い場合には、蓄電池電圧を昇圧し、ＰＷＭコンバータの直流を高くして使用するための双方向ＤＣ／ＤＣチョッパを接続する必要がある。このため、従来のＤＣ／ＡＣ変換器は、双方向の電力変換を行う場合には、双方向ＤＣ／ＤＣチョッパなどを設ける必要があり、部品点数が多くなるとともにコストアップにつながる。
【０００６】
なお、マトリクスコンバータを用いて、蓄電池電力と３相電力とを相互、かつ、直接に電力変換できることが要望されているが、現時点では、実現されていない。すなわち、マトリクスコンバータを用いて、直流電力と交流電力との間の系統連系を直接に行うことができるものはなかった。
【０００７】
本発明は、上記に鑑みてなされたものであって、簡易な構成で、直流電力と交流電力との間の電力変換を相互、かつ、直接に行うことができる直流／交流系統連系装置を提供することを目的とする。
【課題を解決するための手段】
【０００８】
上述した課題を解決し、目的を達成するために、本発明にかかる直流／交流系統連系装置は、３相交流電力と直流電力との間の電力変換を相互、かつ、直接に行うことができる直流／交流系統連系装置であって、３相交流電源と直流電源との間に設けられ、前記３相交流電源と前記直流電源との間をＯＮ／ＯＦＦする双方向スイッチ回路と、前記３相交流電力における各相の電圧の大小関係に応じて区分された複数のモードに応じて各モードごとに異なるパターンをもつ第１のキャリア波形パターンを所定スイッチング周期で生成し、前記所定スイッチング周期内で前記第１のキャリア波形パターンと前記３相交流電力の各相の電圧に基づいて生成された第１の制御信号とから、前記３相交流電力のうち２相を選択する複数の線間電圧発生区間を求める仮想ＡＣ／ＤＣ変換処理を行い、該仮想ＡＣ／ＤＣ変換処理によって求められた前記複数の線間電圧発生区間に対応して前記複数のモードに応じて異なる第２のキャリア波形パターンを生成し、前記複数の線間電圧発生区間で選択された２相の線間電圧に対し、生成された前記第２のキャリア波形パターンと前記直流電力の相に対応した第２の制御信号とから、前記複数のモードに応じた異なる仮想ＤＣ／ＤＣ変換処理を行うように、前記双方向スイッチ回路のスイッチングパターンを生成する制御部と、前記直流電源と前記双方向スイッチ回路との間を流れる電流の電流方向と電流量とを示す電流設定値を入力する電流設定部と、前記直流電源と前記双方向スイッチ回路との間を流れる電流の電流方向と電流量とを検出する電流検出部と、前記電流検出部が検出した電流方向と電流量とが前記電流設定値となるように信号レベルを増減した前記第２の制御信号を生成する電流調整部と、を備えたことを特徴とする直流／交流系統連系装置。 
【０００９】
また、本発明にかかる直流／交流系統連系装置は、上記の発明において、前記電流調整部は、前記３相交流電力を前記直流電力へ変換する場合、前記直流電力の相間電圧に比して前記制御部での前記仮想ＤＣ／ＤＣ変換処理によって生成される前記所定スイッチング周期での平均直流電圧を大きくするとともに前記直流電力の相間電圧と前記平均直流電圧との差電圧の大きさによって電流量を調整する前記第２の制御信号を生成し、前記直流電力を前記３相交流電力へ変換する場合、前記直流電力の相間電圧に比して前記平均直流電圧を小さくするとともに前記直流電力の相間電圧と前記平均直流電圧との差電圧の大きさによって電流量を調整する前記第２の制御信号を生成することを特徴とする。 
【００１０】
また、本発明にかかる直流／交流系統連系装置は、上記の発明において、前記第２の制御信号を正の第２の制御信号とし、前記正の第２の制御信号を反転した負の第２の制御信号を生成する反転部を備え、前記平均直流電圧の大きさは、前記正の第２の制御信号の信号レベルと前記負の第２の制御信号の信号レベルとの差に対応することを特徴とする。
【００１１】
また、本発明にかかる直流／交流系統連系装置は、上記の発明において、前記制御部は、前記３相交流電力における最大電圧相、最小電圧相、及び中間電圧相を認識し、前記複数の線間電圧発生区間を、中間電圧相及び最小電圧相に対応した第１の区間と、最大電圧相及び最小電圧相に対応した第２の区間と、最大電圧相及び中間電圧相に対応した第３の区間とに分けて求めることを特徴とする。
【００１２】
また、本発明にかかる直流／交流系統連系装置は、上記の発明において、前記第２のキャリア波形パターンは、前記複数の線間電圧発生区間のうち連続する２つの区間に跨って山型にレベルが変化するパターンを有することを特徴とする。
【００１３】
また、本発明にかかる直流／交流系統連系装置は、上記の発明において、前記第２のキャリア波形パターンは、前記複数の線間電圧発生区間のそれぞれにおける２つの電圧相のうち電圧値の大きい電圧相を＋側相とし電圧値の小さい電圧相を−側相とするとき、前記線間電圧発生区間が切り換わる際に＋側相または−側相に共通する相がある場合、切り換わる２つの前記線間電圧発生区間に跨って山型にレベルが連続するパターンを有し、前記線間電圧発生区間が切り換わる際に＋側相と−側相との間で反転する相がある場合、切り換わる２つの前記線間電圧発生区間の境界で鋸歯状にレベルが変化するパターンを有することを特徴とする。
【発明の効果】
【００１４】
本発明によれば、３相交流電力と直流電力との間の電力変換を相互、かつ、直接に行うことができる直流／交流系統連系装置であって、３相交流電源と直流電源との間に設けられ、前記３相交流電源と前記直流電源との間をＯＮ／ＯＦＦする双方向スイッチ回路と、前記３相交流電力における各相の電圧の大小関係に応じて区分された複数のモードに応じて各モードごとに異なるパターンをもつ第１のキャリア波形パターンを所定スイッチング周期で生成し、前記所定スイッチング周期内で前記第１のキャリア波形パターンと前記３相交流電力の各相の電圧に基づいて生成された第１の制御信号とから、前記３相交流電力のうち２相を選択する複数の線間電圧発生区間を求める仮想ＡＣ／ＤＣ変換処理を行い、該仮想ＡＣ／ＤＣ変換処理によって求められた前記複数の線間電圧発生区間に対応して前記複数のモードに応じて異なる第２のキャリア波形パターンを生成し、前記複数の線間電圧発生区間で選択された２相の線間電圧に対し、生成された前記第２のキャリア波形パターンと前記直流電力の相に対応した第２の制御信号とから、前記複数のモードに応じた異なる仮想ＤＣ／ＤＣ変換処理を行うように、前記双方向スイッチ回路のスイッチングパターンを生成する制御部と、前記直流電源と前記双方向スイッチ回路との間を流れる電流の電流方向と電流量とを示す電流設定値を入力する電流設定部と、前記直流電源と前記双方向スイッチ回路との間を流れる電流の電流方向と電流量とを検出する電流検出部と、前記電流検出部が検出した電流方向と電流量とが前記電流設定値となるように信号レベルを増減した前記第２の制御信号を生成する電流調整部と、を備えるようにしている。この結果、双方向昇圧装置などを設ける必要がなく、簡易な構成で、直流電力と交流電力との間の電力変換を相互、かつ、直接に行うことができる。 
【図面の簡単な説明】
【００１５】
【図１】図１は、本発明の実施の形態である直流／交流系統連系装置を含む構成を示すブロック図である。
【図２】図２は、図１に示した双方向スイッチの構成の一例を示す図である。
【図３】図３は、ＰＮ相間電圧と仮想ＤＣ／ＤＣ変換処理による平均直流電圧との大小関係による、Ｐ相を流れる電流方向と電流量との関係を示す図である。
【図４】図４は、図１に示した制御部が認識する複数のモードを示す図である。
【図５】図５は、図１に示した制御部によるモードｍ１における仮想ＡＣ／ＤＣ変換処理及び仮想ＤＣ／ＤＣ変換処理を示すタイムチャートである。
【図６】図６は、図１に示した制御部によるモードｍ２における仮想ＡＣ／ＤＣ変換処理及び仮想ＤＣ／ＤＣ変換処理を示すタイムチャートである。
【図７】図７は、図１に示した制御部によるモードｍ３における仮想ＡＣ／ＤＣ変換処理及び仮想ＤＣ／ＤＣ変換処理を示すタイムチャートである。
【図８】図８は、図１に示した制御部によるモードｍ４における仮想ＡＣ／ＤＣ変換処理及び仮想ＤＣ／ＤＣ変換処理を示すタイムチャートである。
【図９】図９は、図１に示した制御部によるモードｍ５における仮想ＡＣ／ＤＣ変換処理及び仮想ＤＣ／ＤＣ変換処理を示すタイムチャートである。
【図１０】図１０は、図１に示した制御部によるモードｍ６における仮想ＡＣ／ＤＣ変換処理及び仮想ＤＣ／ＤＣ変換処理を示すタイムチャートである。
【図１１】図１１は、３相交流電源側から蓄電池側に電力を供給する場合における各部の電流及び電圧の変化を示すタイミングチャートである。
【図１２】図１２は、蓄電池側から３相交流電源側に電力を供給する場合における各部の電流及び電圧の変化を示すタイミングチャートである。
【発明を実施するための形態】
【００１６】
以下、添付図面を参照してこの発明を実施するための形態について説明する。
【００１７】
（全体構成）
図１は、本発明の実施の形態である直流／交流系統連系装置１を含む構成を示すブロック図である。図１に示すように、直流／交流系統連系装置１は、３相交流電源ＰＳ（交流装置）から電力線ＬＲ，ＬＳ，ＬＴを介してそれぞれＲ相、Ｓ相、Ｔ相の３相交流電力が入力され、入力された３相交流電力を、一旦直流電力に変換することなく、直流電力に直接変換し、電力線ＬＵ（Ｐ相），ＬＶ（Ｎ相）を介して蓄電池ＬＤ（直流装置）に出力する。また、逆に、蓄電池ＬＤからの直流電力を、直接、３相交流電源ＰＳ側に交流電力を出力する。すなわち、直流／交流系統連系装置１は、３相交流電力と蓄電池電力との間の電力変換を相互、かつ、直接に行うものである。
【００１８】
直流／交流系統連系装置１は、入力コンデンサ４０、リアクトル３０、双方向スイッチ回路１０、制御部２０、電流検出部５１、電流調整部５２、及び電流設定部５０を有する。
【００１９】
入力コンデンサ４０は、コンデンサ４１〜４３を有する。コンデンサ４１〜４３は、一端がＲ相、Ｓ相、Ｔ相にそれぞれ接続され、他端が共通接続される。入力コンデンサ４０は、各相の電流・電圧のリップルを低減する。
【００２０】
リアクトル３０は、電力線ＬＵ上に配置され、リップルを低減する。
【００２１】
双方向スイッチ回路１０は、入力された３相交流電力を直流電力に変換するように、入力された３相交流電力の蓄電池ＬＤへの供給をＯＮ／ＯＦＦする。また、双方向スイッチ回路１０は、入力された直流電力を３相交流電力に変換するように、入力された直流電力の３相交流電源ＰＳへの供給をＯＮ／ＯＦＦする。双方向スイッチ回路１０は、双方向スイッチ群ＳＷを有する。双方向スイッチ群ＳＷは、６つの双方向スイッチＳＲＰ，ＳＳＰ，ＳＴＰ，ＳＲＮ，ＳＳＮ,ＳＴＮを有する。双方向スイッチ回路１０は、制御部２０による制御のもと、６つの双方向スイッチＳＲＰ，ＳＳＰ，ＳＴＰ，ＳＲＮ，ＳＳＮ，ＳＴＮがそれぞれ所定のタイミングでＯＮ／ＯＦＦすることで、入力された３相交流電力を単相交流電力に変換する。
【００２２】
双方向スイッチＳＲＰは、Ｒ相とＰ相との間の接続をＯＮ／ＯＦＦする。双方向スイッチＳＳＰは、Ｓ相とＰ相との間の接続をＯＮ／ＯＦＦする。双方向スイッチＳＴＰは、Ｔ相とＰ相との間の接続をＯＮ／ＯＦＦする。双方向スイッチＳＲＮは、Ｒ相とＮ相との間の接続をＯＮ/ＯＦＦする。双方向スイッチＳＳＮは、Ｓ相とＮ相との間の接続をＯＮ/ＯＦＦする。双方向スイッチＳＴＮは、Ｔ相とＮ相との間の接続をＯＮ/ＯＦＦする。
【００２３】
なお、各双方向スイッチＳＲＰ，ＳＳＰ，ＳＴＰ，ＳＲＮ，ＳＳＮ,ＳＴＮは、例えば、図２（ａ）に示すスイッチＳと等価である。図２（ａ）に示すスイッチＳは、制御部２０から制御端子ＣＴ経由でスイッチング信号を受け、ＯＮして端子Ｔ１と端子Ｔ２とを接続し、ＯＦＦして端子Ｔ１と端子Ｔ２とを遮断する。スイッチＳは、端子Ｔ１と端子Ｔ２との間で双方向に電流が流れ得る。
【００２４】
図２（ａ）に示すスイッチＳは、理想的なスイッチである。実際にスイッチを構成する素子は、スイッチング時間が存在するため、転流する時の開放モード、短絡モードを考慮して、例えば、図２（ｂ）、又は図２（ｃ）に示すように接続されて構成されていてもよい。図２（ｂ）に示す構成は、例えば、逆阻止機能を有する素子ＥＬ１，ＥＬ２を並列接続して実現された構成である。逆阻止機能を有する素子ＥＬ１，ＥＬ２は、例えば、絶縁ゲートバイポーラトランジスタ（ＩＧＢＴ）でもよい。端子Ｔ１’，Ｔ２’は、それぞれ、図２（ａ）に示す端子Ｔ１，Ｔ２に対応しており、制御端子ＣＴ１’，ＣＴ２’は、図２（ａ）に示す制御端子ＣＴに対応している。
【００２５】
あるいは、図２（ｃ）に示す構成は、例えば、逆阻止機能が無い素子ＥＬ１１，ＥＬ１２を直列接続して実現された構成である。逆阻止機能が無い素子ＥＬ１１，ＥＬ１２は、例えば、還流ダイオードが両端に接続された絶縁ゲートバイポーラトランジスタ（ＩＧＢＴ）でもよいし、又は、電界効果トランジスタ（ＦＥＴ）でもよい。端子Ｔ１”は、図２（ａ）に示す端子Ｔ１に対応している。端子Ｔ２”は、図２（ａ）に示す端子Ｔ２に対応している。制御端子ＣＴ１”，ＣＴ２”は、図２（ａ）に示す制御端子ＣＴに対応している。
【００２６】
電流設定部５０は、電力線ＬＵに流れる電流の電流方向Ｆ／Ｂと電流量Ａとを示す電流設定値を電流調整部５２に入力する。電流検出部５１は、電力線ＬＵに流れる電流の電流方向Ｆ／Ｂと電流量Ａ１とを検出し、この検出結果を電流調整部５２に入力する。電流調整部５２は、電流検出部５１が検出した電流方向Ｆ／Ｂと電流量Ａ１とが電流設定部５０から入力された電流設定値となるように第２の制御信号である信号レベルＧ１を制御部２０に出力する。
【００２７】
（制御部の処理概要）
制御部２０は、双方向スイッチ回路１０における双方向スイッチ群ＳＷのスイッチングパターンを生成する。制御部２０は、双方向スイッチ回路１０に入力された３相交流電力に対して仮想ＡＣ／ＤＣ変換処理を行い、仮想ＡＣ／ＤＣ変換処理が行われた電力に対して仮想ＤＣ／ＤＣ変換処理を行うように、双方向スイッチ回路１０のスイッチングパターン（すなわち、スイッチング信号のパターン）を生成する。以下において、「仮想ＡＣ／ＤＣ変換処理を行う」とは、仮想ＡＣ／ＤＣ変換処理を仮想的に行うことを意味し、「仮想ＤＣ／ＤＣ変換処理を行う」とは、仮想ＤＣ／ＤＣ変換処理を仮想的に行うことを意味しているものとする。 
【００２８】
制御部２０は、入力された３相交流電力に対して、入力された３相交流電力における各相の電圧の大小関係に応じて区分された複数のモード（例えば、図４に示すモードｍ１〜ｍ６）について互いに異なる仮想ＡＣ／ＤＣ変換処理を行うように、双方向スイッチ回路１０のスイッチングパターンを生成する。ここで、モードｍ１は、Ｒ相電圧が最大値のとき（あるいはＳ相電圧とＴ相電圧とが交差するとき）を始点（０°）として、０°〜６０°の位相区間である。同様にして、モードｍ２〜ｍ６は、それぞれ、６０°〜１２０°、１２０°〜１８０°、１８０°〜２４０°、２４０°〜３００°、３００°〜３６０°の位相区間である。
【００２９】
制御部２０は、同期信号検出部２１を有する。同期信号検出部２１は、Ｓ相とＴ相との電圧差が０となる交差点を検出し、この交差点位相を０°として入力側の各相（Ｒ相、Ｓ相、Ｔ相）の交流電圧を第１の制御信号として推定するとともに、推定された各相の交流電圧の大小関係に応じてそのときのモードが複数のモードｍ１〜ｍ６におけるどのモードであるかを認識する。
【００３０】
制御部２０は、第１のキャリア波形パターン発生部２２を有する。第１のキャリア波形パターン発生部２２は、入力された３相交流電力に対して、複数のモードｍ１〜ｍ６に対し異なる第１のキャリア波形パターン、例えば、図５〜図１０に示す第１のキャリア波形パターンＣＷ１１〜ＣＷ１３をスイッチング周期Ｔごとに繰り返し生成する。すなわち、第１のキャリア波形パターン発生部２２は、同期信号検出部２１によって認識されたモードｍ１〜ｍ６に応じて、仮想ＡＣ／ＤＣ変換処理に用いるべき第１のキャリア波形パターンＣＷ１１〜ＣＷ１３をスイッチング周期Ｔごとに決定する。スイッチング周期Ｔは、例えば、１００μｓ程度である。
【００３１】
制御部２０は、位相情報生成部２３を有する。位相情報生成部２３は、図５（ａ）に示すように、第１のキャリア波形パターン発生部２２が決定した第１のキャリア波形パターンＣＷ１１〜ＣＷ１３と入力側の相に対応した第１の制御信号とを比較して、比較結果に応じて仮想的に各双方向スイッチＳＲＰ〜ＳＴＮが直流電力を発生させるような仮想的な複数のスイッチング信号（Ｒ相パルス、Ｓ相パルス、Ｔ相パルス）を発生させる。それとともに、位相情報生成部２３は、仮想的な複数のスイッチング信号（Ｒ相パルス、Ｓ相パルス、Ｔ相パルス）のレベル（Ｈｉｇｈ、Ｌｏｗ）の組み合わせに応じた複数の線間電圧発生区間φＴＳ（例えば、図５（ｄ）に示すモードｍ１における区間ＴＳ１１，ＴＳ１２，ＴＳ１３）を求める。また、位相情報生成部２３は、線間電圧発生区間φＴＳにおける選択された＋側相と−側相とを求める。位相情報生成部２３は、各モードｍ１〜ｍ６で得られるスイッチング周期Ｔ内の選択２相間電圧の平均が等しくなるように、複数の線間電圧発生区間φＴＳを求める。言い換えると、後述するように、位相情報生成部２３は、直流電力を発生させるような仮想的なスイッチング動作を各双方向スイッチＳＲＰ〜ＳＴＮが行うように、各双方向スイッチＳＲＰ〜ＳＴＮに仮想的にＡＣ／ＤＣ変換処理（仮想ＡＣ／ＤＣ変換処理）を行う。
【００３２】
なお、仮想的なスイッチング動作とは、実際に各双方向スイッチＳＲＰ〜ＳＴＮが行うものとは異なるスイッチング動作であるが、仮想ＡＣ／ＤＣ変換→仮想ＤＣ／ＤＣ変換の途中段階における仮想的な直流電力を発生させることを考えるために各双方向スイッチＳＲＰ〜ＳＴＮが仮想的に行っているものとみなすスイッチング動作である。途中段階における仮想的な直流電力を発生させる処理は、あくまで仮想的なものであって、実際にその処理自体が行われるわけではない。 
【００３３】
また、制御部２０は、仮想ＡＣ／ＤＣ変換処理が行われた電力に対して、複数のモードｍ１〜ｍ６について互いに異なる仮想ＤＣ／ＤＣ変換処理を行うように、双方向スイッチ回路１０のスイッチングパターン（すなわち、スイッチング信号のパターン）を制御する。 
【００３４】
具体的に、制御部２０は、第２のキャリア波形パターン発生部２４を有する。第２のキャリア波形パターン発生部２４は、同期信号検出部２１が認識した複数のモードｍ１〜ｍ６に応じて異なる第２のキャリア波形パターン（例えば、図５〜図１０に示す第２のキャリア波形パターンＣＷ２１〜ＣＷ２６）を生成する。制御部２０は、この第２のキャリア波形パターンＣＷ２１〜ＣＷ２６を用いて仮想ＤＣ／ＤＣ変換処理を行うように双方向スイッチ回路１０を制御する。すなわち、制御部２０は、認識されたモードｍ１〜ｍ６に応じて、仮想ＤＣ／ＤＣ変換処理に用いる複数の線間電圧発生区間φＴＳに対応した第２のキャリア波形パターンＣＷ２１〜ＣＷ２６を生成する。この第２のキャリア波形パターンＣＷ２１〜ＣＷ２６も、同じモード内であれば、スイッチング周期Ｔで繰り返し生成される。このとき、複数の線間電圧発生区間φＴＳは、仮想的な複数のスイッチング信号のレベルの組み合わせに応じたものとなっている。つまり、制御部２０は、認識されたモードと、仮想的に各双方向スイッチＳＲＰ〜ＳＴＮが直流電力を発生させるような複数のスイッチング信号のレベルの組み合わせとに応じて、第２のキャリア波形パターンＣＷ２１〜ＣＷ２６を生成する。 
【００３５】
ここで、制御部２０は、入力されたＰ相の信号レベルＧ１をＰ相コンパレータＣＰの−側に入力する。また、反転器２７は、Ｐ相の信号レベルＧ１を反転し、反転されたＮ相の信号レベルＧ２をＮ相コンパレータＣＮの−側に入力する。Ｐ相コンパレータＣＰ及びＮ相コンパレータＣＮの各＋側には、第２のキャリア波形パターン発生部２４が生成した第２のキャリア波形パターンＣＷ２（ＣＷ２１〜ＣＷ２６）が入力される。
【００３６】
Ｐ相コンパレータＣＰは、Ｐ相の信号レベルＧ１と第２のキャリア波形パターンＣＷ２とを比較し、比較結果をスイッチ制御部２８に出力する。一方、Ｎ相コンパレータＣＮは、Ｎ相の信号レベルＧ２と第２のキャリア波形パターンＣＷ２とを比較し、比較結果をスイッチ制御部２８に出力する。スイッチ制御部２８は、Ｐ相コンパレータＣＰの比較結果をもとに、線間電圧発生区間φＴＳのＲ相パルス、Ｓ相パルス、Ｔ相パルスによって得られる選択２相間電圧をＰＷＭ制御し、Ｐ相に接続される双方向スイッチＳＲＰ，ＳＳＰ，ＳＴＰをスイッチングするスイッチング信号φＳＲＰ、φＳＳＰ、φＳＴＰを生成する。また、スイッチ制御部２８は、Ｎ相コンパレータＣＮの比較結果をもとに、線間電圧発生区間φＴＳの選択２相間電圧をＰＷＭ制御し、Ｎ相に接続される双方向スイッチＳＲＮ，ＳＳＮ，ＳＴＮをスイッチングするスイッチング信号φＳＲＮ、φＳＳＮ、φＳＴＮを生成する。ＰＮ線間電圧は、スイッチング周期Ｔごとに、制御部２０内で生成されるＰＮ線間の電圧である。
【００３７】
図３に示すように、電流調整部５２は、３相交流電源ＰＳ側から蓄電池ＬＤ側への電流方向（Ｆ）とする場合、蓄電池ＬＤのＰＮ相間電圧Ｖｂ（図１参照）に比して、制御部２０での仮想ＤＣ／ＤＣ変換処理によって生成されるスイッチング周期Ｔでの電圧Ｐ１、Ｐ２、Ｐ３の平均直流電圧Ｖave（例えば、図５（ｈ）のＰＮ線間電圧の平均）を大きくするとともに蓄電池ＬＤ側のＰＮ相間電圧ＶｂとＰＮ線間電圧の平均直流電圧Ｖaveとの差電圧に比例する量を電流量とする信号レベルＧ１（第２の制御信号）を生成し、蓄電池ＬＤ側から３相交流電源ＰＳ側への電流方向（Ｂ）とする場合、蓄電池ＬＤ側のＰＮ相間電圧Ｖｂに比してＰＮ線間電圧の平均直流電圧Ｖaveを小さくするとともに蓄電池ＬＤ側のＰＮ相間電圧ＶｂとＰＮ線間電圧の平均直流電圧Ｖaveとの差電圧に比例する量を電流量とする信号レベルＧ１（第２の制御信号）を生成する。 
【００３８】
すなわち、電流調整部５２は、ＰＮ相間電圧Ｖｂに比して、平均直流電圧Ｖaveを大きくするか小さくするかによって電流方向（Ｆ／Ｂ）を変え、その差電圧の大きさ（絶対値）によって電流量Ａを調整している。
【００３９】
（モードの説明）
ここで、同期信号検出部２１によって認識される複数のモードｍ１〜ｍ６について図４を用いて説明する。
【００４０】
同期信号検出部２１は、検出された各相（Ｒ相、Ｓ相、Ｔ相）の交流電圧の大小関係に応じて、図４に示すような６つのモードｍ１〜ｍ６を認識する。
【００４１】
モードｍ１では、Ｒ相が最大電圧相であり、Ｔ相が最小電圧相であり、Ｓ相が中間電圧相である。例えば、同期信号検出部２１は、Ｒ相が最大電圧相であり、Ｔ相が最小電圧相であり、Ｓ相が中間電圧相であることを認識した場合、現在のモードがモードｍ１であると認識する。
【００４２】
モードｍ２では、Ｓ相が最大電圧相であり、Ｔ相が最小電圧相であり、Ｒ相が中間電圧相である。例えば、同期信号検出部２１は、Ｓ相が最大電圧相であり、Ｔ相が最小電圧相であり、Ｒ相が中間電圧相であることを認識した場合、現在のモードがモードｍ２であると認識する。
【００４３】
モードｍ３では、Ｓ相が最大電圧相であり、Ｒ相が最小電圧相であり、Ｔ相が中間電圧相である。例えば、同期信号検出部２１は、Ｓ相が最大電圧相であり、Ｒ相が最小電圧相であり、Ｔ相が中間電圧相であることを認識した場合、現在のモードがモードｍ３であると認識する。
【００４４】
モードｍ４では、Ｔ相が最大電圧相であり、Ｒ相が最小電圧相であり、Ｓ相が中間電圧相である。例えば、同期信号検出部２１は、Ｔ相が最大電圧相であり、Ｒ相が最小電圧相であり、Ｓ相が中間電圧相であることを認識した場合、現在のモードがモードｍ４であると認識する。
【００４５】
モードｍ５では、Ｔ相が最大電圧相であり、Ｓ相が最小電圧相であり、Ｒ相が中間電圧相である。例えば、同期信号検出部２１は、Ｔ相が最大電圧相であり、Ｓ相が最小電圧相であり、Ｒ相が中間電圧相であることを認識した場合、現在のモードがモードｍ５であると認識する。
【００４６】
モードｍ６では、Ｒ相が最大電圧相であり、Ｓ相が最小電圧相であり、Ｔ相が中間電圧相である。例えば、同期信号検出部２１は、Ｒ相が最大電圧相であり、Ｓ相が最小電圧相であり、Ｔ相が中間電圧相であることを認識した場合、現在のモードがモードｍ６であると認識する。
【００４７】
なお、同期信号検出部２１は、Ｒ相の検出電圧が最大となる点である、モードｍ１の開始時点を基準に各モードｍ１〜ｍ６を認識するようにしてもよい。
【００４８】
（具体的な仮想ＡＣ／ＤＣ変換処理）
次に、複数のモードｍ１〜ｍ６のそれぞれにおける仮想ＡＣ／ＤＣ変換処理について、図５〜図１０を用いて説明する。なお、図５〜図１０では、各モードｍ１〜ｍ６内で連続する２つのスイッチング周期Ｔについて示している。なお、以下では、説明の簡略化のため、信号レベルＧ１に応じて決定した直流電圧設定ゲインが１である場合について例示的に説明する。
【００４９】
［モードｍ１］
モードｍ１では、第１のキャリア波形パターン発生部２２が、図５（ａ）に示すように、仮想ＡＣ／ＤＣ変換処理に用いるべき第１のキャリア波形パターンＣＷ１として、立ち下がりの鋸歯状波Ｗ１１と立ち上がりの鋸歯状波Ｗ１２とを有する第１のキャリア波形パターンＣＷ１１を決定する。なお、「立ち下がりの鋸歯状波」とは、時間の経過に応じて振幅が直線的に減少していく負の傾きを持った鋸歯状波を指し、「立ち上がりの鋸歯状波」とは、時間の経過に応じて振幅が直線的に増加していく正の傾きを持った鋸歯状波を指すものとする。
【００５０】
一方、位相情報生成部２３には、同期信号検出部２１が直接検出したＲ相電圧ａ、Ｓ相電圧ｂ、Ｔ相電圧ｃが入力される。あるいは、位相情報生成部２３は、Ｒ相の検出電圧が最大となる点である、モードｍ１の開始時点を基準に、Ｒ相電圧ａ、Ｓ相電圧ｂ、Ｔ相電圧ｃを推定する。Ｒ相電圧ａ、Ｓ相電圧ｂ、Ｔ相電圧ｃは、各スイッチング周期Ｔごとに求められ、スイッチング周期Ｔの経過に伴って変化する。なお、図５では、隣接するスイッチング周期ＴでＲ相電圧ａ、Ｓ相電圧ｂ、Ｔ相電圧ｃである場合を示している。ここで、入力あるいは推定されるＲ相電圧ａ、Ｓ相電圧ｂ、Ｔ相電圧ｃは、それぞれ、相電圧を「−１」と「１」の間に規格化したものである。このとき、図５（ｄ）に示す区間（線間電圧発生区間）ＴＳ１１，ＴＳ１２，ＴＳ１３の直流電圧は、それぞれ、ＳＴ間電圧＝ｂ−ｃ、ＲＴ間電圧＝ａ−ｃ、ＲＳ間電圧＝ａ−ｂとなる。
【００５１】
モードｍ１における各相のパルスについて図５（ａ），（ｂ）を参照して説明する。モードｍ１では、Ｒ相が最大電圧相、Ｔ相が最小電圧相、Ｓ相が中間電圧相となる。最大電圧相と最小電圧相では、パルスはそれぞれの電位に比例する時間分、ＯＮとなる。したがって、Ｒ相のパルス幅ｘ＝Ｔ｜ａ｜、Ｔ相のパルス幅ｚ＝Ｔ｜ｃ｜となる。ここで、Ｒ相パルスがＯＮとなるタイミング（区間ＴＳ１１が終わるタイミング）は、Ｒ相電圧｜ａ｜と鋸歯状波Ｗ１１との交点から求められる。Ｒ相パルスは、Ｒ相電圧｜ａ｜が鋸歯状波Ｗ１１の値以上のときにＯＮとなる。これにより、Ｒ相パルスが得られる。Ｔ相パルスがＯＦＦとなるタイミング（区間ＴＳ１１後の区間ＴＳ１２が終わるタイミング）は、Ｔ相電圧｜ｃ｜と鋸歯状波Ｗ１２との交点から求められる。Ｔ相パルスは、Ｔ相電圧｜ｃ｜が鋸歯状波Ｗ１２の値以上のときにＯＮとなる。これにより、Ｔ相パルスが得られる。中間相パルスは、最大電圧相又は最小電圧相のパルスのどちらかがＯＦＦのときにＯＮする。したがって、Ｓ相パルスは、Ｒ相電圧｜ａ｜と鋸歯状波Ｗ１１との交点、およびＴ相電圧｜ｃ｜と鋸歯状波Ｗ１２との交点から求められる。
【００５２】
ここで、線間電圧発生区間ＴＳ１１、ＴＳ１２、ＴＳ１３の幅は、それぞれ、Ｔ×（１−｜ａ｜）、Ｔ×（｜ａ｜＋｜ｃ｜−１）、Ｔ×（１−｜ｃ｜）となる。すなわち、仮想ＡＣ／ＤＣ変換処理により、仮想的な直流電圧を生成するための、線間電圧発生区間ＴＳ１１、ＴＳ１２、ＴＳ１３に対応した幅をそれぞれ有する仮想的な複数のスイッチング信号（Ｒ相パルス、Ｓ相パルス、Ｔ相パルス）が生成される。
【００５３】
また、仮想ＡＣ／ＤＣ変換処理における線間電圧発生区間ＴＳ１１、ＴＳ１２、ＴＳ１３の直流電圧（図５（ｃ）に示した選択２相間電圧）は、それぞれ、ＳＴ間電圧＝ｂ−ｃ、ＲＴ間電圧＝ａ−ｃ、ＲＳ間電圧＝ａ−ｂとなる。選択２相間電圧における２つの電圧相のうちレベルの大きい電圧相を＋側相とし、レベルの小さい電圧相を−側相とすると、線間電圧発生区間ＴＳ１１、ＴＳ１２、ＴＳ１３において、それぞれ、Ｓ相、Ｒ相、Ｒ相が＋側相であり、Ｔ相、Ｔ相、Ｓ相が−側相である。位相情報生成部２３は、時々刻々と、線間電圧発生区間φＴＳ（ＴＳ１１、ＴＳ１２、ＴＳ１３）を第２のキャリア波形パターン発生部２４及びスイッチ制御部２８に出力するとともに、＋側相及び−側相をスイッチ制御部２８に出力する。
【００５４】
ところで、スイッチング周期Ｔの直流電圧の平均は、それぞれの線間電圧発生区間ＴＳ１１，ＴＳ１２，ＴＳ１３ごとに直流電圧を積算しそれぞれを加算してスイッチング周期Ｔで除して、次式（１）のように表すことができる。
【００５５】
スイッチング周期Ｔの直流電圧の平均＝｛（ｂ−ｃ）×Ｔ×（１−ａ）＋（ａ−ｃ）×Ｔ×（ａ−ｃ−１）＋（ａ−ｂ）×Ｔ×（１＋ｃ）｝／Ｔ
＝ａ２＋ｃ２−ｂ（ａ＋ｃ）                                ・・・（１）
ここで、ａ＋ｂ＋ｃ＝０（３相条件）を考慮すると、式（１）は次式（２）に変形できる。
スイッチング周期Ｔの直流電圧の平均＝ａ２＋ｂ２＋ｃ２        ・・・（２）
さらに、交流理論から、ａ２＋ｂ２＋ｃ２＝３／２より、式（２）は次式（３）に変形できる。
スイッチング周期Ｔの直流電圧の平均＝３／２                ・・・（３）
式（３）に示すように、スイッチング周期Ｔの仮想的な直流電圧の平均を、一定電圧とすることができる。
【００５６】
モードｍ１における入力電流について説明する。Ｒ相の入力電流は、Ｒ相電圧ａの時間に比例する正の電流が流れる。Ｔ相の入力電流は、Ｔ相の電圧の大きさ｜ｃ｜に比例する負の電流が流れる。Ｓ相の入力電流は、線間電圧発生区間ＴＳ１１で正の電流が流れ、線間電圧発生区間ＴＳ１３で負の電流が流れる。したがって、流れる電流は、Ｔ×（１−ａ）−Ｔ×（１＋ｃ）＝Ｔ（−ａ−ｃ）＝Ｔｂとなり、スイッチング周期Ｔで除すると、Ｓ相電圧ｂとなる。したがって、Ｒ相、Ｓ相、Ｔ相には、それぞれ、Ｒ相電圧ａ、Ｓ相電圧ｂ、Ｔ相電圧ｃに比例する電流が流れることになり、入力交流電流の各相を正弦波とすることができる。
【００５７】
［モードｍ２］
モードｍ２では、第１のキャリア波形パターン発生部２２が、図６（ａ）に示すように、仮想ＡＣ／ＤＣ変換処理に用いるべき第１のキャリア波形パターンＣＷ１として、立ち上がりの鋸歯状波Ｗ１２を有する第１のキャリア波形パターンＣＷ１２を決定する。位相情報生成部２３は、同期信号検出部２１の検出結果に応じて、Ｒ相電圧ａ、Ｓ相電圧ｂ、Ｔ相電圧ｃを取得し、あるいは推定する。このとき、図６（ｄ）に示す線間電圧発生区間ＴＳ２１、ＴＳ２２、ＴＳ２３の直流電圧は、それぞれ、ＳＴ間電圧＝ｂ−ｃ、ＲＴ間電圧＝ａ−ｃ、ＲＳ間電圧＝ｂ−ａとなる。
【００５８】
モードｍ２における各相のパルスについて図６（ａ），（ｂ）を参照して説明する。モードｍ２では、Ｓ相が最大電圧相、Ｔ相が最小電圧相、Ｒ相が中間電圧相となる。位相情報生成部２３は、Ｒ，Ｓ，Ｔ相のパルスのＯＮ，ＯＦＦ順序を変えずに、最大電圧相と最小電圧相でそれぞれの電位に比例する時間をＯＮとするため、モードｍ２では、Ｔ相電圧｜ｃ｜と電圧（｜ｂ｜＋｜ｃ｜−１）と鋸歯状波Ｗ１２とを用いて、図６（ｂ）に示す各相パルスのＯＮ，ＯＦＦタイミングを生成する。
【００５９】
ここで、線間電圧発生区間ＴＳ２１、ＴＳ２２、ＴＳ２３の幅は、それぞれ、Ｔ×（｜ｂ｜＋｜ｃ｜−１）、Ｔ×（１−｜ｂ｜）、Ｔ×（１−｜ｃ｜）となる。すなわち、仮想ＡＣ／ＤＣ変換処理により、仮想的な直流電圧を生成するための、線間電圧発生区間ＴＳ２１、ＴＳ２２、ＴＳ２３に対応した幅をそれぞれ有する仮想的な複数のスイッチング信号（Ｒ相パルス、Ｓ相パルス、Ｔ相パルス）が生成される。
【００６０】
ここで、仮想ＡＣ／ＤＣ変換処理における線間電圧発生区間ＴＳ２１、ＴＳ２２、ＴＳ２３の直流電圧（図６（ｃ）に示した選択２相間電圧）は、それぞれ、ＳＴ間電圧＝ｂ−ｃ、ＲＴ間電圧＝ａ−ｃ、ＳＲ間電圧＝ｂ−ａとなる。選択２相間電圧における２つの電圧相のうちレベルの大きい電圧相を＋側相とし、レベルの小さい電圧相を−側相とすると、線間電圧発生区間ＴＳ２１、ＴＳ２２、ＴＳ２３において、それぞれ、Ｓ相、Ｒ相、Ｓ相が＋側相であり、Ｔ相、Ｔ相、Ｒ相が−側相である。位相情報生成部２３は、時々刻々と、線間電圧発生区間φＴＳ（ＴＳ２１、ＴＳ２２、ＴＳ２３）を第２のキャリア波形パターン発生部２４及びスイッチ制御部２８に出力するとともに、＋側相及び−側相をスイッチ制御部２８に出力する。
【００６１】
ところで、モードｍ２でのスイッチング周期Ｔの直流電圧の平均は、次式（４）のように表すことができる。
スイッチング周期Ｔの直流電圧の平均＝｛（ｂ−ｃ）×Ｔ×（−ｃ＋ｂ−１）＋（ａ−ｃ）×Ｔ×（−ｂ＋１）＋（ｂ−ａ）×Ｔ×（１＋ｃ）｝／Ｔ
＝ｂ２＋ｃ２−ａ（ｂ＋ｃ）                                ・・・（４）
ここで、ａ＋ｂ＋ｃ＝０（３相条件）を考慮すると、式（４）は次式（５）に変形できる。
スイッチング周期Ｔの直流電圧の平均＝ａ２＋ｂ２＋ｃ２      ・・・（５）
さらに、交流理論から、ａ２＋ｂ２＋ｃ２＝３／２より、式（５）は次式（６）に変形できる。
スイッチング周期Ｔの直流電圧の平均＝３／２              ・・・（６）
式（６）に示されるように、スイッチング周期Ｔの仮想的な直流電圧の平均を、一定電圧とすることができる。
【００６２】
モードｍ２における入力電流について説明する。モードｍ２では、Ｓ相が最大電圧相で、Ｔ相が最小電圧相なので、Ｓ相はＳ相電圧ｂの時間に比例する正の電流が流れ、Ｔ相は、Ｔ相電圧ｃの時間に比例する負の電流が流れる。Ｒ相は線間電圧発生区間ＴＳ２２で負の電流が流れ、線間電圧発生区間ＴＳ２３で正の電流が流れる。このため、流れる電流は、Ｔ×（１−ｂ）−Ｔ×（１＋ｃ）＝Ｔａとなり、スイッチング周期Ｔで除するとＲ相電圧ａとなる。従って、電圧に比例する電流が各相に流れ、入力交流電流の各相を正弦波とすることができる。
【００６３】
［モードｍ３］
モードｍ３では、第１のキャリア波形パターン発生部２２が、図７（ａ）に示すように、仮想ＡＣ／ＤＣ変換処理に用いるべき第１のキャリア波形パターンとして、立ち下がりの鋸歯状波Ｗ１１を有する第１のキャリア波形パターンＣＷ１３を決定する。位相情報生成部２３は、同期信号検出部２１の検出結果に応じて、Ｒ相電圧ａ、Ｓ相電圧ｂ、Ｔ相電圧ｃを取得し、あるいは推定する。このとき、図７（ｄ）に示す線間電圧発生区間ＴＳ３１、ＴＳ３２、ＴＳ３３の直流電圧は、それぞれ、ＳＴ間電圧＝ｃ−ｂ、ＲＴ間電圧＝ａ−ｃ、ＲＳ間電圧＝ａ−ｂとなる。
【００６４】
モードｍ３における各相のパルスについて図７（ａ），（ｂ）を参照して説明する。モードｍ３では、Ｓ相が最大電圧相、Ｒ相が最小電圧相、Ｔ相が中間電圧相となる。Ｒ，Ｓ，Ｔ相のパルスのＯＮ、ＯＦＦ順序を変えずに、最大電圧相と最小電圧相でそれぞれの電位に比例する時間ＯＮとするため、モードｍ３では、Ｒ相電圧｜ａ｜と電圧（｜ａ｜＋｜ｂ｜−１）と鋸波状波Ｗ１１とを用いて、図７（ｂ）に示す各パルスのＯＮ，ＯＦＦタイミングを生成する。
【００６５】
ここで、線間電圧発生区間ＴＳ３１、ＴＳ３２、ＴＳ３３の幅は、それぞれ、Ｔ×（１−｜ａ｜）、Ｔ（１−｜ｂ｜）、Ｔ×（｜ａ｜＋｜ｂ｜−１）となる。すなわち、仮想ＡＣ／ＤＣ変換処理により、仮想的な直流電圧を生成するための、線間電圧発生区間ＴＳ３１、ＴＳ３２、ＴＳ３３に対応した幅をそれぞれ有する仮想的な複数のスイッチング信号（Ｒ相パルス、Ｓ相パルス、Ｔ相パルス）が生成される。
【００６６】
ここで、仮想ＡＣ／ＤＣ変換処理における線間電圧発生区間ＴＳ３１、ＴＳ３２、ＴＳ３３の直流電圧（図７（ｃ）に示した選択２相間電圧）は、それぞれ、ＳＴ間電圧＝ｂ−ｃ、ＴＲ間電圧＝ｃ−ａ、ＳＲ間電圧＝ｂ−ａとなる。選択２相間電圧における２つの電圧相のうちレベルの大きい電圧相を＋側相とし、レベルの小さい電圧相を−側相とすると、線間電圧発生区間ＴＳ３１、ＴＳ３２、ＴＳ３３において、それぞれ、Ｓ相、Ｔ相、Ｓ相が＋側相であり、Ｔ相、Ｒ相、Ｒ相が−側相である。位相情報生成部２３は、時々刻々と、線間電圧発生区間φＴＳ（ＴＳ３１、ＴＳ３２、ＴＳ３３）を第２のキャリア波形パターン発生部２４及びスイッチ制御部２８に出力するとともに、＋側相及び−側相をスイッチ制御部２８に出力する。
【００６７】
ところで、モードｍ３でのスイッチング周期Ｔの直流電圧の平均は、次式（７）のように表すことができる。
スイッチング周期Ｔの直流電圧の平均＝｛（ｂ−ｃ）×Ｔ×（１＋ａ）＋（−ａ＋ｃ）×Ｔ×（１−ｂ）＋（−ａ＋ｂ）×Ｔ×（−ａ＋ｂ−１）｝／Ｔ
＝ａ２＋ｂ２−ｃ（ａ＋ｂ）                                ・・・（７）
ここで、ａ＋ｂ＋ｃ＝０（３相条件）を考慮すると、式（７）は次式（８）に変形できる。
スイッチング周期Ｔの直流電圧の平均＝ａ２＋ｂ２＋ｃ２      ・・・（８）
さらに、交流理論から、ａ２＋ｂ２＋ｃ２＝３／２より、数式（８）は次式（９）に変形できる。
スイッチング周期Ｔの直流電圧の平均＝３／２              ・・・（９）
式（９）に示されるように、スイッチング周期Ｔの仮想的な直流電圧の平均を、一定電圧とすることができる。
【００６８】
モードｍ３における入力電流について説明する。最大電圧相のＳ相には、Ｓ相電圧ｂの時間に比例する正の電流が流れる。最小電圧相のＲ相には、Ｒ相電圧ａの時間に比例する負の電流が流れる。Ｔ相は、線間電圧発生区間ＴＳ３１で負の電流が流れ、線間電圧発生区間ＴＳ３２で正の電流が流れる。このため、流れる電流は、Ｔ×（１−ｂ）−Ｔ×（１＋ａ）＝Ｔｃとなり、スイッチング周期Ｔで除するとＴ相電圧ｃとなる。従って、電圧に比例する電流が各相に流れ、入力交流電流の各相を正弦波とすることができる。
【００６９】
［モードｍ４〜ｍ６］
モードｍ４における仮想ＡＣ／ＤＣ変換処理は、図８に示すように、モードｍ１における仮想ＡＣ／ＤＣ変換処理（図５参照）と同様である。線間電圧発生区間ＴＳ４１、ＴＳ４２、ＴＳ４３も、モードｍ１と同様にして求められる。線間電圧発生区間ＴＳ４１、ＴＳ４２、ＴＳ４３において、それぞれ、Ｔ相、Ｔ相、Ｓ相が＋側相であり、Ｓ相、Ｒ相、Ｒ相が−側相である。
【００７０】
モードｍ５における仮想ＡＣ／ＤＣ変換処理は、図９に示すように、モードｍ２における仮想ＡＣ／ＤＣ変換処理（図６参照）と同様である。線間電圧発生区間ＴＳ５１、ＴＳ５２、ＴＳ５３も、モードｍ２と同様にして求められる。線間電圧発生区間ＴＳ５１、ＴＳ５２、ＴＳ５３において、それぞれ、Ｔ相、Ｔ相、Ｒ相が＋側相であり、Ｓ相、Ｒ相、Ｓ相が−側相である。
【００７１】
モードｍ６における仮想ＡＣ／ＤＣ変換処理は、図１０に示すように、モードｍ３における仮想ＡＣ／ＤＣ変換処理（図７参照）と同様である。線間電圧発生区間ＴＳ６１、ＴＳ６２、ＴＳ６３も、モードｍ３と同様にして求められる。線間電圧発生区間ＴＳ６１、ＴＳ６２、ＴＳ６３において、それぞれ、Ｔ相、Ｒ相、Ｒ相が＋側相であり、Ｓ相、Ｔ相、Ｓ相が−側相である。
【００７２】
（具体的な仮想ＤＣ／ＤＣ変換処理）
次に、複数のモードｍ１〜ｍ６のそれぞれにおける仮想ＤＣ／ＤＣ変換処理について、図５〜１０を参照して説明する。まず、第２のキャリア波形パターン発生部２４は、図５（ｅ），（ｆ）〜図１０（ｅ），（ｆ）に示すように、モードｍ１〜ｍ６に対応して、第２のキャリア波形パターンＣＷ２（ＣＷ２１〜ＣＷ２６）を生成する。第２のキャリア波形パターンＣＷ２は、複数の線間電圧発生区間φＴＳのうち連続する２つの線間電圧発生区間に跨って山型にレベルが変化するパターンを有するように決定される。また、第２のキャリア波形パターンＣＷ２は、複数の線間電圧発生区間φＴＳが切り換わる際に＋側相または−側相に共通する相がある場合、切り換わる２つの線間電圧発生区間に跨って山型にレベルが連続するパターンを有し、線間電圧発生区間φＴＳが切り換わる際に＋側相と−側相との間で反転する相がある場合、切り換わる２つの線間電圧発生区間φＴＳの境界で鋸歯状にレベルが変化するパターンを有するように決定される。 
【００７３】
［モードｍ１］
図５（ｅ），（ｆ）に示すように、モードｍ１では、第２のキャリア波形パターン発生部２４が、仮想ＤＣ／ＤＣ変換処理に用いるべき第２のキャリア波形パターンＣＷ２として、線間電圧発生区間ＴＳ１１、ＴＳ１２、ＴＳ１３の順に立ち上がりの鋸歯状波、立ち下がりの鋸歯状波、立ち上がりの鋸歯状波を有する第２のキャリア波形パターンＣＷ２１を決定する。 
【００７４】
［双方向スイッチＳＲＰ、ＳＳＰ、ＳＴＰのスイッチング］
Ｐ相コンパレータＣＰは、第２のキャリア波形パターンＣＷ２１とＰ相の信号レベルＧ１とを比較する。スイッチ制御部２８は、Ｐ相コンパレータＣＰの比較結果をもとに、Ｐ相に接続される双方向スイッチＳＲＰ、ＳＳＰ、ＳＴＰのスイッチングを制御する。この双方向スイッチＳＲＰ、ＳＳＰ、ＳＴＰのスイッチングは、Ｐ相電圧に関し、それぞれＲ相パルス、Ｓ相パルス、Ｔ相パルスをＰＷＭ制御することに等しい。スイッチ制御部２８は、図５（ｅ）に示すように、線間電圧発生区間ＴＳ１１において、Ｐ相コンパレータＣＰの比較結果が、第２のキャリア波形パターンＣＷ２１よりＰ相の信号レベルＧ１が大きい時点ｔ１〜ｔ１２の間、＋側相すなわちＳ相を選択し、スイッチング信号φＳＳＰをＯＮレベルにするとともに、Ｐ相に接続される他のスイッチング信号φＳＲＰ、φＳＴＰをＯＦＦレベルにする。一方、スイッチ制御部２８は、線間電圧発生区間ＴＳ１１において、Ｐ相コンパレータＣＰの比較結果が、第２のキャリア波形パターンＣＷ２１よりＰ相の信号レベルＧ１が小さい時点ｔ１２〜ｔ１３の間、−側相すなわちＴ相を選択し、スイッチング信号φＳＴＰをＯＮレベルにするとともにＰ相に接続される他のスイッチング信号φＳＲＰ、φＳＳＰをＯＦＦレベルにする。
【００７５】
同様にして、スイッチ制御部２８は、線間電圧発生区間ＴＳ１２において、Ｐ相コンパレータＣＰの比較結果が、第２のキャリア波形パターンＣＷ２１よりＰ相の信号レベルＧ１が大きい場合、＋側相すなわちＲ相を選択し、スイッチング信号φＳＲＰをＯＮレベルにするとともに、Ｐ相に接続される他のスイッチング信号φＳＳＰ，φＳＴＰをＯＦＦレベルにする。一方、スイッチ制御部２８は、線間電圧発生区間ＴＳ１２において、Ｐ相コンパレータＣＰの比較結果が、第２のキャリア波形パターンＣＷ２１よりＰ相の信号レベルＧ１が小さい場合、−側相すなわちＴ相を選択し、スイッチング信号φＳＴＰをＯＮレベルにするとともにＰ相に接続される他のスイッチング信号φＳＲＰ，φＳＳＰをＯＦＦレベルにする。
【００７６】
さらに、スイッチ制御部２８は、線間電圧発生区間ＴＳ１３において、Ｐ相コンパレータＣＰの比較結果が、第２のキャリア波形パターンＣＷ２１よりＰ相の信号レベルＧ１が大きい場合、＋側相すなわちＲ相を選択し、スイッチング信号φＳＲＰをＯＮレベルにするとともに、Ｐ相に接続される他のスイッチング信号φＳＳＰ，φＳＴＰをＯＦＦレベルにする。一方、スイッチ制御部２８は、線間電圧発生区間ＴＳ１３において、Ｐ相コンパレータＣＰの比較結果が、第２のキャリア波形パターンＣＷ２１よりＰ相の信号レベルＧ１が小さい場合、−側相すなわちＳ相を選択し、スイッチング信号φＳＳＰをＯＮレベルにするとともにＰ相に接続される他のスイッチング信号φＳＲＰ，φＳＴＰをＯＦＦレベルにする。
【００７７】
［双方向スイッチＳＲＮ、ＳＳＮ、ＳＴＮのスイッチング］
一方、Ｎ相コンパレータＣＮは、第２のキャリア波形パターンＣＷ２１とＮ相の信号レベルＧ２とを比較する。スイッチ制御部２８は、Ｎ相コンパレータＣＮの比較結果をもとに、Ｎ相に接続される双方向スイッチＳＲＮ、ＳＳＮ、ＳＴＮのスイッチングを制御する。この双方向スイッチＳＲＮ、ＳＳＮ、ＳＴＮのスイッチングは、Ｎ相電圧に関し、それぞれＲ相パルス、Ｓ相パルス、Ｔ相パルスをＰＷＭ制御することに等しい。スイッチ制御部２８は、図５（ｆ）に示すように、線間電圧発生区間ＴＳ１１において、Ｎ相コンパレータＣＮの比較結果が、第２のキャリア波形パターンＣＷ２１よりＮ相の信号レベルＧ２が大きい時点ｔ１〜ｔ１１の間、＋側相すなわちＳ相を選択し、スイッチング信号φＳＳＮをＯＮレベルにするとともに、Ｎ相に接続される他のスイッチング信号φＳＲＮ、φＳＴＮをＯＦＦレベルにする。一方、スイッチ制御部２８は、線間電圧発生区間ＴＳ１１において、Ｎ相コンパレータＣＮの比較結果が、第２のキャリア波形パターンＣＷ２１よりＮ相の信号レベルＧ２が小さい時点ｔ１１〜ｔ１３の間、−側相すなわちＴ相を選択し、スイッチング信号φＳＴＮをＯＮレベルにするとともにＮ相に接続される他のスイッチング信号φＳＲＮ，φＳＳＮをＯＦＦレベルにする。
【００７８】
同様にして、スイッチ制御部２８は、線間電圧発生区間ＴＳ１２において、Ｎ相コンパレータＣＮの比較結果が、第２のキャリア波形パターンＣＷ２１よりＮ相の信号レベルＧ２が大きい場合、＋側相すなわちＲ相を選択し、スイッチング信号φＳＲＮをＯＮレベルにするとともに、Ｎ相に接続される他のスイッチング信号φＳＳＮ、φＳＴＮをＯＦＦレベルにする。一方、スイッチ制御部２８は、線間電圧発生区間ＴＳ１２において、Ｎ相コンパレータＣＮの比較結果が、第２のキャリア波形パターンＣＷ２１よりＮ相の信号レベルＧ２が小さい場合、−側相すなわちＴ相を選択し、スイッチング信号φＳＴＮをＯＮレベルにするとともにＮ相に接続される他のスイッチング信号φＳＲＮ、φＳＳＮをＯＦＦレベルにする。
【００７９】
さらに、スイッチ制御部２８は、線間電圧発生区間ＴＳ１３において、Ｎ相コンパレータＣＮの比較結果が、第２のキャリア波形パターンＣＷ２１よりＮ相の信号レベルＧ２が大きい場合、＋側相すなわちＲ相を選択し、スイッチング信号φＳＲＮをＯＮレベルにするとともに、Ｎ相に接続される他のスイッチング信号φＳＳＮ、φＳＴＮをＯＦＦレベルにする。一方、スイッチ制御部２８は、線間電圧発生区間ＴＳ１３において、Ｎ相コンパレータＣＮの比較結果が、第２のキャリア波形パターンＣＷ２１よりＮ相の信号レベルＧ２が小さい場合、−側相すなわちＳ相を選択し、スイッチング信号φＳＳＮをＯＮレベルにするとともにＮ相に接続される他のスイッチング信号φＳＲＮ、φＳＴＮをＯＦＦレベルにする。
【００８０】
なお、上述したスイッチ制御部２８による、双方向スイッチＳＲＰ、ＳＳＰ、ＳＴＰ、ＳＲＮ、ＳＳＮ、ＳＴＮのスイッチングは、実際のスイッチング制御である。
【００８１】
［ＰＮ線間電圧の平均直流電圧］
ここで、スイッチング信号φＳＲＰのパルス幅は、Ｒ相パルスのパルス幅ｘ（図５（ｂ）参照）を、Ｐ相の信号レベルＧ１（信号レベルｈ）に比例して縮めたｈｘとなる。また、スイッチング信号φＳＳＰのパルス幅は、Ｓ相パルスのパルス幅ｙ（図５（ｂ）参照）を、Ｐ相の信号レベルＧ１（信号レベルｈ）に比例して縮めたｈｙとなる。また、スイッチング信号φＳＴＰのパルス幅は、Ｔ相パルスのパルス幅ｚ（図５（ｂ）参照）を、Ｐ相の信号レベルＧ１（信号レベルｈ）に比例して縮めたｈｚとなる。
【００８２】
また、各スイッチング信号φＳＲＰ、φＳＳＰ、φＳＴＰは、択一的にＯＮしているので、各スイッチング信号φＳＲＰ、φＳＳＰ、φＳＴＰのパルス幅の期間では、それぞれ、Ｒ相電圧ａ、Ｓ相電圧ｂ、Ｔ相電圧ｃが発生する。スイッチング周期Ｔの平均直流電圧Ｖaveは、それぞれの期間ごとに電圧を積算しそれぞれを加算してスイッチング周期Ｔで除して、次式（１０）のように表すことができる。
スイッチング周期ＴのＰ相出力電圧の平均
＝｛ａ（ｈｘ）＋ｂ（ｈｙ）＋ｃ（ｈｚ）｝／Ｔ
＝ｈ（ａｘ＋ｂｙ＋ｃｚ）／Ｔ                                ・・・（１０）
上記より、Ｒ相のパルス幅ｘ＝Ｔ｜ａ｜、Ｓ相のパルス幅ｙ＝Ｔ｜ｂ｜、Ｔ相のパルス幅ｚ＝Ｔ｜ｃ｜であるから、式（１０）は次式（１１）に変形できる。
スイッチング周期ＴのＰ相出力電圧の平均＝ｈ（ａ２＋ｂ２＋ｃ２）  ・・・（１１）
さらに、交流理論から、ａ２＋ｂ２＋ｃ２＝３／２より、式（１１）は次式（１２）に変形できる。
スイッチング周期ＴのＰ相出力電圧の平均＝ｈ×３／２            ・・・（１２）
【００８３】
同様にして、スイッチング信号φＳＲＮのパルス幅は、Ｒ相パルスのパルス幅ｘ（図５（ｂ）参照）を、Ｎ相制御信号ＲＷｂの信号レベル−ｈに比例して縮めた−ｈｘの絶対値となる。また、スイッチング信号φＳＳＮのパルス幅は、Ｓ相パルスのパルス幅ｙ（図５（ｂ）参照）を、Ｎ相制御信号ＲＷｂの信号レベル−ｈに比例して縮めた−ｈｙの絶対値となる。また、スイッチング信号φＳＴＮのパルス幅は、Ｔ相パルスのパルス幅ｚ（図５（ｂ）参照）を、Ｎ相制御信号ＲＷｂの信号レベル−ｈに比例して縮めた−ｈｚの絶対値となる。
【００８４】
したがって、スイッチング周期ＴのＮ相出力電圧の平均は、次式（１３）で表せる。
スイッチング周期ＴのＮ相出力電圧の平均
＝｛ａ（−ｈｘ）＋ｂ（−ｈｙ）＋ｃ（−ｈｚ）｝／Ｔ
＝−ｈ（ａｘ＋ｂｙ＋ｃｚ）／Ｔ                              ・・・（１３）
上記より、Ｒ相のパルス幅ｘ＝Ｔ｜ａ｜、Ｓ相のパルス幅ｙ＝Ｔ｜ｂ｜、Ｔ相のパルス幅ｚ＝Ｔ｜ｃ｜であるから、式（１３）は式（１４）に変形できる。
スイッチング周期ＴのＮ相出力電圧の平均＝−ｈ（ａ２＋ｂ２＋ｃ２）・・・（１４）
さらに、交流理論から、ａ２＋ｂ２＋ｃ２＝３／２より、式（１４）は次式（１５）に変形できる。
スイッチング周期ＴのＮ相出力電圧の平均＝−ｈ×３／２        ・・・（１５）
【００８５】
この結果、スイッチング周期ＴのＰ相出力電圧の平均と、Ｎ相出力電圧の平均とは、ともに、信号レベルｈ、−ｈに比例したものとなる。なお、スイッチング周期Ｔ（ｔ１〜ｔ２）におけるＰＮ線間電圧は、図５（ｈ）に示すように、スイッチング信号φＳＲＰ、φＳＳＰ、φＳＴＰからスイッチング信号φＳＲＮ、φＳＳＮ、φＳＴＮを減算した信号パターンとなる。
【００８６】
また、Ｐ相とＮ相との間のＰＮ線間電圧の平均は、式（１２）の値から式（１５）の値を減算して、次式（１６）で表せる。
ＰＮ線間電圧の平均直流電圧Ｖave＝ｈ×３／２−（−ｈ×３／２）
＝ｈ×３                                  ・・・（１６）
したがって、ＰＮ線間電圧の平均直流電圧Ｖaveは、信号レベルｈに比例したものとなる。
【００８７】
なお、図５に示すように、上述したスイッチング周期Ｔでは、Ｐ相の信号レベルＧ１が＋ｈで、Ｎ相の信号レベルＧ２が−ｈであったが、Ｎ相の信号レベルＧ２の値を常に０に設定してもよい。
【００８８】
［モードｍ２〜ｍ６］
モードｍ２では、図６（ｅ），（ｆ）に示すように、第２のキャリア波形パターン発生部２４が、仮想ＤＣ／ＤＣ変換処理に用いるべき第２のキャリア波形パターンＣＷ２として、線間電圧発生区間ＴＳ２１，ＴＳ２２，ＴＳ２３の順に立ち上がりの鋸歯状波、立ち下がりの鋸歯状波、立ち下がりの鋸歯状波を有する第２のキャリア波形パターンＣＷ２２を決定する。 
【００８９】
モードｍ２では、モードｍ１と同様に、Ｐ相コンパレータＣＰは、図６（ｅ）に示すように、第２のキャリア波形パターンＣＷ２２とＰ相の信号レベルＧ１とを比較する。そして、スイッチ制御部２８は、図６（ｇ）に示すように、Ｐ相コンパレータＣＰの比較結果をもとに、Ｐ相に接続される双方向スイッチＳＲＰ、ＳＳＰ、ＳＴＰのスイッチングを制御する。また、Ｎ相コンパレータＣＮは、図６（ｆ）に示すように、第２のキャリア波形パターンＣＷ２２とＮ相の信号レベルＧ２とを比較する。そして、スイッチ制御部２８は、図６（ｇ）に示すように、Ｎ相コンパレータＣＮの比較結果をもとに、Ｎ相に接続される双方向スイッチＳＲＮ、ＳＳＮ、ＳＴＮのスイッチングを制御する。その結果、図６（ｈ）に示すように、モードｍ２におけるＰＮ線間電圧が生成される。また、各スイッチング周期ＴでのＰＮ線間電圧の平均直流電圧Ｖaveは、信号レベルｈ、−ｈに比例したものとなる。さらに、上述したように、平均直流電圧ＶaveとＰＮ相間電圧Ｖｂとを大小関係をもとに、Ｐ相の電流方向及び電流値が決定される。例えば、信号レベルＧ１が０．５で信号レベルＧ２が−０．５のときの平均直流電圧ＶaveがＰＮ相間電圧Ｖｂと同じ値である場合、信号レベルＧ１を０．５より大きくし、信号レベルＧ２を−０．５よりも小さくすることによって、平均直流電圧ＶaveはＰＮ相間電圧Ｖｂを超える。そして、このときは、３相交流電源ＰＳ側から蓄電池ＬＤ側に電流が流れることになる。
【００９０】
モードｍ３では、図７（ｅ），（ｆ）に示すように、第２のキャリア波形パターン発生部２４が、仮想ＤＣ／ＤＣ変換処理に用いるべき第２のキャリア波形パターンＣＷ２として、線間電圧発生区間ＴＳ３１，ＴＳ３２，ＴＳ３３に順に立ち上がりの鋸歯状波、立ち上がりの鋸歯状波、立ち下がりの鋸歯状波を有する第２のキャリア波形パターンＣＷ２３を決定する。 
【００９１】
モードｍ３では、モードｍ１と同様に、Ｐ相コンパレータＣＰは、図７（ｅ）に示すように、第２のキャリア波形パターンＣＷ２３とＰ相の信号レベルＧ１とを比較する。そして、スイッチ制御部２８は、図７（ｇ）に示すように、Ｐ相コンパレータＣＰの比較結果をもとに、Ｐ相に接続される双方向スイッチＳＲＰ、ＳＳＰ、ＳＴＰのスイッチングを制御する。また、Ｎ相コンパレータＣＮは、図７（ｆ）に示すように、第２のキャリア波形パターンＣＷ２３とＮ相の信号レベルＧ２とを比較する。そして、スイッチ制御部２８は、図７（ｇ）に示すように、Ｎ相コンパレータＣＮの比較結果をもとに、Ｎ相に接続される双方向スイッチＳＲＮ、ＳＳＮ、ＳＴＮのスイッチングを制御する。その結果、図７（ｈ）に示すように、モードｍ３におけるＰＮ線間電圧が生成される。また、各スイッチング周期ＴでのＰＮ線間電圧の平均直流電圧Ｖaveは、信号レベルｈ、−ｈに比例したものとなる。さらに、上述したように、平均直流電圧ＶaveとＰＮ相間電圧Ｖｂとを大小関係をもとに、Ｐ相の電流方向及び電流値が決定される。
【００９２】
モードｍ４では、図８（ｅ），（ｆ）に示すように、第２のキャリア波形パターン発生部２４が、仮想ＤＣ／ＤＣ変換処理に用いるべき第２のキャリア波形パターンＣＷ２として、線間電圧発生区間ＴＳ４１，ＴＳ４２，ＴＳ４３に順に立ち下がりの鋸歯状波、立ち上がりの鋸歯状波、立ち下がりの鋸歯状波を有する第２のキャリア波形パターンＣＷ２４を決定する。 
【００９３】
モードｍ４では、モードｍ１と同様に、Ｐ相コンパレータＣＰは、図８（ｅ）に示すように、第２のキャリア波形パターンＣＷ２４とＰ相の信号レベルＧ１とを比較する。そして、スイッチ制御部２８は、図８（ｇ）に示すように、Ｐ相コンパレータＣＰの比較結果をもとに、Ｐ相に接続される双方向スイッチＳＲＰ、ＳＳＰ、ＳＴＰのスイッチングを制御する。また、Ｎ相コンパレータＣＮは、図８（ｆ）に示すように、第２のキャリア波形パターンＣＷ２４とＮ相の信号レベルＧ２とを比較する。そして、スイッチ制御部２８は、図８（ｇ）に示すように、Ｎ相コンパレータＣＮの比較結果をもとに、Ｎ相に接続される双方向スイッチＳＲＮ、ＳＳＮ、ＳＴＮのスイッチングを制御する。その結果、図８（ｈ）に示すように、モードｍ４におけるＰＮ線間電圧が生成される。また、各スイッチング周期ＴでのＰＮ線間電圧の平均直流電圧Ｖaveは、信号レベルｈ、−ｈに比例したものとなる。さらに、上述したように、平均直流電圧ＶaveとＰＮ相間電圧Ｖｂとを大小関係をもとに、Ｐ相の電流方向及び電流値が決定される。
【００９４】
モードｍ５では、図９（ｅ），（ｆ）に示すように、第２のキャリア波形パターン発生部２４が、仮想ＤＣ／ＤＣ変換処理に用いるべき第２のキャリア波形パターンＣＷ２として、線間電圧発生区間ＴＳ５１，ＴＳ５２，ＴＳ５３に順に立ち下がりの鋸歯状波、立ち上がりの鋸歯状波、立ち上がりの鋸歯状波を有する第２のキャリア波形パターンＣＷ２５を決定する。 
【００９５】
モードｍ５では、モードｍ１と同様に、Ｐ相コンパレータＣＰは、図９（ｅ）に示すように、第２のキャリア波形パターンＣＷ２５とＰ相の信号レベルＧ１とを比較する。そして、スイッチ制御部２８は、図９（ｇ）に示すように、Ｐ相コンパレータＣＰの比較結果をもとに、Ｐ相に接続される双方向スイッチＳＲＰ、ＳＳＰ、ＳＴＰのスイッチングを制御する。また、Ｎ相コンパレータＣＮは、図９（ｆ）に示すように、第２のキャリア波形パターンＣＷ２５とＮ相の信号レベルＧとを比較する。そして、スイッチ制御部２８は、図９（ｇ）に示すように、Ｎ相コンパレータＣＮの比較結果をもとに、Ｎ相に接続される双方向スイッチＳＲＮ、ＳＳＮ、ＳＴＮのスイッチングを制御する。その結果、図９（ｈ）に示すように、モードｍ５におけるＰＮ線間電圧が生成される。また、各スイッチング周期ＴでのＰＮ線間電圧の平均直流電圧Ｖaveは、信号レベルｈ、−ｈに比例したものとなる。さらに、上述したように、平均直流電圧ＶaveとＰＮ相間電圧Ｖｂとを大小関係をもとに、Ｐ相の電流方向及び電流値が決定される。
【００９６】
モードｍ６では、図１０（ｅ），（ｆ）に示すように、第２のキャリア波形パターン発生部２４が、仮想ＤＣ／ＤＣ変換処理に用いるべき第２のキャリア波形パターンＣＷ２として、線間電圧発生区間ＴＳ６１，ＴＳ６２，ＴＳ６３に順に立ち下がりの鋸歯状波、立ち下がりの鋸歯状波、立ち上がりの鋸歯状波を有する第２のキャリア波形パターンＣＷ２６を決定する。 
【００９７】
モードｍ６では、モードｍ１と同様に、Ｐ相コンパレータＣＰは、図１０（ｅ）に示すように、第２のキャリア波形パターンＣＷ２６とＰ相の信号レベルＧ１とを比較する。そして、スイッチ制御部２８は、図１０（ｇ）に示すように、Ｐ相コンパレータＣＰの比較結果をもとに、Ｐ相に接続される双方向スイッチＳＲＰ、ＳＳＰ、ＳＴＰのスイッチングを制御する。また、Ｎ相コンパレータＣＮは、図１０（ｆ）に示すように、第２のキャリア波形パターンＣＷ２６とＮ相の信号レベルＧ２とを比較する。そして、スイッチ制御部２８は、図１０（ｇ）に示すように、Ｎ相コンパレータＣＮの比較結果をもとに、Ｎ相に接続される双方向スイッチＳＲＮ、ＳＳＮ、ＳＴＮのスイッチングを制御する。その結果、図１０（ｈ）に示すように、モードｍ６におけるＰＮ線間電圧が生成される。また、各スイッチング周期ＴでのＰＮ線間電圧の平均直流電圧Ｖaveは、信号レベルｈ、−ｈに比例したものとなる。さらに、上述したように、平均直流電圧ＶaveとＰＮ相間電圧Ｖｂとを大小関係をもとに、Ｐ相の電流方向及び電流値が決定される。
【００９８】
この結果、直流／交流系統連系装置１は、図３に示すように、電流設定部５０が指示する電流設定値（電流方向Ｆ／Ｂと電流値Ａ）となるように、信号レベルＧ１，Ｇ２の値が調整され、平均直流電圧ＶaveとＰＮ相間電圧Ｖｂとの大小関係をもとに、Ｐ相の電流方向及び電流値が制御される。すなわち、電流方向Ｆとなる場合には、電力量Ａで、３相交流電力が蓄電池ＬＤ側に供給され、電流方向Ｂとなる場合には、電力量Ａで、蓄電池ＬＤの直流電力が３相交流電源ＰＳ側に供給される。
【００９９】
なお、図１に示した電流検出部５１は、電流方向のみをスイッチ制御部２８に入力する。制御部２０は、電流方向に対応したスイッチング順序とする必要があるからである。
【０１００】
また、上述した実施の形態では、スイッチング信号φＳＲＰ、φＳＳＰ、φＳＴＰは、第２のキャリア波形パターンＣＷ２によって変調されるが、この変調によって、Ｒ相、Ｓ相、Ｔ相に対するスイッチングが順次、Ｒ相→Ｓ相→Ｔ相→Ｒ相…のように所定順序で重複せずに、整然とつながるように変調されるため、転流の失敗を抑制できる。また、スイッチング信号φＳＲＮ、φＳＳＮ、φＳＴＮのスイッチングも同様に整然とつながるように変調されるため、転流の失敗を抑制することができる。
【０１０１】
また、スイッチング信号φＳＲＰ、φＳＳＰ、φＳＴＰ、φＳＲＮ、φＳＳＮ、φＳＴＮのパルス幅は、双方向スイッチ群ＳＷのスイッチング周波数限界の周期よりも大きいことが好ましい。これにより、パルス幅が双方向スイッチ群ＳＷのスイッチング時間限界より長く確保されるため、転流の失敗を抑制できる。
【０１０２】
（スイッチング回数の抑制）
ここで、スイッチング周期Ｔ内における双方向スイッチ群ＳＷのスイッチング回数の抑制について説明する。仮想ＤＣ／ＤＣ変換処理では、１つのキャリア波形パターンの間（スイッチング周期Ｔ）に入力側の３種類のパルス（Ｒ相パルス、Ｓ相パルス、Ｔ相パルス）を３種類の線間電圧発生区間φＴＳごとに出力側の各相（Ｐ相、Ｎ相）に変調することになる。 
【０１０３】
仮に、１つのキャリア波形パターンを３種類の線間電圧発生区間φＴＳごとに同様の三角波で構成する場合、双方向スイッチＳＲＰ〜ＳＴＮについてスイッチング周期Ｔごとに３回のスイッチング回数が必要となる。
【０１０４】
これに対し、本実施の形態では、図５〜図１０に示すように、それぞれの入力電圧相の選択（＋側相、−側相）をみるとＲ相、Ｓ相、Ｔ相が、１つのキャリア波形パターンについて重なりを持ちながら現れる。すなわち、図５〜図１０の（ｅ）、（ｆ）に示す複数の第２のキャリア波形パターンＣＷ２１〜ＣＷ２６のそれぞれは、複数の線間電圧発生区間のうち連続する２つの区間に跨って山型にレベルが変化するパターンを有する。なお、各モードｍ１〜ｍ６は、複数のスイッチング周期Ｔを含む。
【０１０５】
例えば、図５（ｅ）、（ｆ）に示すように、第２のキャリア波形パターンＣＷ２１は、線間電圧発生区間ＴＳ１１、ＴＳ１２に跨って上側に山型にレベルが変化するパターンを有し、線間電圧発生区間ＴＳ１２、ＴＳ１３に跨って下側に山型にレベルが変化するパターンを有する。
【０１０６】
また、図６（ｅ）、（ｆ）に示すように、第２のキャリア波形パターンＣＷ２２は、線間電圧発生区間ＴＳ２１、ＴＳ２２に跨って上側に山型にレベルが変化するパターンを有し、線間電圧発生区間ＴＳ２３、ＴＳ２１に跨って下側に山型にレベルが変化するパターンを有する。
【０１０７】
また、図７（ｅ）、（ｆ）に示すように、第２のキャリア波形パターンＣＷ２３は、線間電圧発生区間ＴＳ３２、ＴＳ３３に跨って上側に山型にレベルが変化するパターンを有し、線間電圧発生区間ＴＳ３３、ＴＳ３１に跨って下側に山型にレベルが変化するパターンを有する。
【０１０８】
また、図８（ｅ）、（ｆ）に示すように、第２のキャリア波形パターンＣＷ２４は、線間電圧発生区間ＴＳ４２、ＴＳ４３に跨って上側に山型にレベルが変化するパターンを有し、線間電圧発生区間ＴＳ４１、区間ＴＳ４２に跨って下側に山型にレベルが変化するパターンを有する。
【０１０９】
また、図９（ｅ）、（ｆ）に示すように、第２のキャリア波形パターンＣＷ２５は、線間電圧発生区間ＴＳ５３、ＴＳ５１に跨って上側に山型にレベルが変化するパターンを有し、線間電圧発生区間ＴＳ５１、ＴＳ５２に跨って下側に山型にレベルが変化するパターンを有する。
【０１１０】
また、図１０（ｅ）、（ｆ）に示すように、第２のキャリア波形パターンＣＷ２６は、線間電圧発生区間ＴＳ６３、ＴＳ６１に跨って上側に山型にレベルが変化するパターンを有し、線間電圧発生区間ＴＳ６２、ＴＳ６３に跨って下側に山型にレベルが変化するパターンを有する。
【０１１１】
より具体的には、各第２のキャリア波形パターンＣＷ２１〜ＣＷ２６は、複数の線間電圧発生区間のそれぞれにおける２つの電圧相のうち電圧値の大きい電圧相を＋側相とし電圧値の小さい電圧相を−側相とするとき、線間電圧発生区間が切り換わる際に＋側相または−側相に共通する相がある場合、切り換わる２つの線間電圧発生区間に跨って山型にレベルが連続するパターンを有し、線間電圧発生区間が切り換わる際に＋側相と−側相との間で反転する相がある場合、切り換わる２つの線間電圧発生区間の境界で鋸歯状にレベルが変化するパターンを有する。
【０１１２】
例えば、第２のキャリア波形パターンＣＷ２１は、線間電圧発生区間ＴＳ１１、ＴＳ１２について−側相に共通するＴ相があるので、線間電圧発生区間ＴＳ１１、ＴＳ１２に跨って上側に山型にレベルが変化するパターンを有する。第２のキャリア波形パターンＣＷ２１は、線間電圧発生区間ＴＳ１２、ＴＳ１３について＋側相に共通するＲ相があるので、線間電圧発生区間ＴＳ１２、ＴＳ１３に跨って下側に山型にレベルが変化するパターンを有する。第２のキャリア波形パターンＣＷ２１は、線間電圧発生区間ＴＳ１３、ＴＳ１１について＋側相と−側相との間で反転するＳ相があるので、線間電圧発生区間ＴＳ１３、ＴＳ１１の境界で鋸歯状にレベルが変化するパターンを有する。
【０１１３】
また、第２のキャリア波形パターンＣＷ２２は、線間電圧発生区間ＴＳ２１、ＴＳ２２について−側相に共通するＴ相があるので、線間電圧発生区間ＴＳ２１、ＴＳ２２に跨って上側に山型にレベルが変化するパターンを有する。第２のキャリア波形パターンＣＷ２２は、線間電圧発生区間ＴＳ２２、ＴＳ２３について＋側相と−側相との間で反転するＲ相があるので、線間電圧発生区間ＴＳ２２、ＴＳ２３の境界で鋸歯状にレベルが変化するパターンを有する。第２のキャリア波形パターンＣＷ２２は、線間電圧発生区間ＴＳ２３、ＴＳ２１について＋側相に共通するＳ相があるので、線間電圧発生区間ＴＳ２３、ＴＳ２１に跨って下側に山型にレベルが変化するパターンを有する。
【０１１４】
また、第２のキャリア波形パターンＣＷ２３は、線間電圧発生区間ＴＳ３１、ＴＳ３２について＋側相と−側相との間で反転するＴ相があるので、線間電圧発生区間ＴＳ３１、ＴＳ３２の境界で鋸歯状にレベルが変化するパターンを有する。第２のキャリア波形パターンＣＷ２３は、線間電圧発生区間ＴＳ３２、ＴＳ３３について−側相に共通するＲ相があるので、線間電圧発生区間ＴＳ３２、ＴＳ３３に跨って上側に山型にレベルが変化するパターンを有する。第２のキャリア波形パターンＣＷ２３は、線間電圧発生区間ＴＳ３３、ＴＳ３１について＋側相に共通するＳ相があるので、線間電圧発生区間ＴＳ３３、ＴＳ３１に跨って下側に山型にレベルが変化するパターンを有する。
【０１１５】
また、第２のキャリア波形パターンＣＷ２４は、線間電圧発生区間ＴＳ４１、ＴＳ４２について＋側相に共通するＴ相があるので、線間電圧発生区間ＴＳ４１、ＴＳ４２に跨って下側に山型にレベルが変化するパターンを有する。第２のキャリア波形パターンＣＷ２４は、線間電圧発生区間ＴＳ４２、ＴＳ４３について−側相に共通するＲ相があるので、線間電圧発生区間ＴＳ４２、ＴＳ４３に跨って上側に山型にレベルが変化するパターンを有する。第２のキャリア波形パターンＣＷ２４は、線間電圧発生区間ＴＳ４３、ＴＳ４１について＋側相と−側相との間で反転するＳ相があるので、線間電圧発生区間ＴＳ４３、ＴＳ４１の境界で鋸歯状にレベルが変化するパターンを有する。
【０１１６】
また、第２のキャリア波形パターンＣＷ２５は、線間電圧発生区間ＴＳ５１、ＴＳ５２について＋側相に共通するＴ相があるので、線間電圧発生区間ＴＳ５１、ＴＳ５２に跨って下側に山型にレベルが変化するパターンを有する。第２のキャリア波形パターンＣＷ２５は、線間電圧発生区間ＴＳ５２、ＴＳ５３について＋側相と−側相との間で反転するＲ相があるので、線間電圧発生区間ＴＳ５２、ＴＳ５３の境界で鋸歯状にレベルが変化するパターンを有する。第２のキャリア波形パターンＣＷ２５は、線間電圧発生区間ＴＳ５３、ＴＳ５１について−側相に共通するＳ相があるので、線間電圧発生区間ＴＳ５３、ＴＳ５１に跨って上側に山型にレベルが変化するパターンを有する。
【０１１７】
また、第２のキャリア波形パターンＣＷ２６は、線間電圧発生区間ＴＳ６１、ＴＳ６２について＋側相と−側相との間で反転するＴ相があるので、線間電圧発生区間ＴＳ６１、ＴＳ６２の境界で鋸歯状にレベルが変化するパターンを有する。第２のキャリア波形パターンＣＷ２６は、線間電圧発生区間ＴＳ６２、ＴＳ６３について＋側相に共通するＲ相があるので、線間電圧発生区間ＴＳ６２、ＴＳ６３に跨って下側に山型にレベルが変化するパターンを有する。第２のキャリア波形パターンＣＷ２６は、線間電圧発生区間ＴＳ６３、ＴＳ６１について−側相に共通するＳ相があるので、線間電圧発生区間ＴＳ６３、ＴＳ６１に跨って上側に山型にレベルが変化するパターンを有する。
【０１１８】
さらに、各第２のキャリア波形パターンＣＷ２１〜ＣＷ２６は、複数の線間電圧発生区間のそれぞれにおける２つの電圧相のうちレベルの大きい電圧相を＋側相としレベルの小さい電圧相を−側相とするとき、モードが切り換わる際に＋側相または−側相に共通する相がある場合、切り換わる２つのモードに跨って山型にレベルが連続するパターンを有し、モードが切り換わる際に＋側相と−側相との間で反転する相がある場合、切り換わる２つのモードの境界で鋸歯状にレベルが変化するパターンを有する。
【０１１９】
例えば、モードｍ１からモードｍ２に切り換わる際に、線間電圧発生区間ＴＳ１３、ＴＳ２１について＋側相と−側相との間で反転するＳ相があるので、線間電圧発生区間ＴＳ１３、ＴＳ２１の境界で鋸歯状にレベルが変化するパターンを有する。
【０１２０】
また、モードｍ２からモードｍ３に切り換わる際に、線間電圧発生区間ＴＳ２３、ＴＳ３１について＋側相に共通するＳ相があるので、線間電圧発生区間ＴＳ２３、ＴＳ３１に跨って下側に山型にレベルが変化するパターンを有する。
【０１２１】
また、モードｍ３からモードｍ４に切り換わる際に、線間電圧発生区間ＴＳ３３、ＴＳ４１について＋側相と−側相との間で反転するＳ相があるので、線間電圧発生区間ＴＳ３３、ＴＳ４１の境界で鋸歯状にレベルが変化するパターンを有する。
【０１２２】
また、モードｍ４からモードｍ５に切り換わる際に、線間電圧発生区間ＴＳ４３、ＴＳ５１について＋側相と−側相との間で反転するＳ相があるので、線間電圧発生区間ＴＳ４３、ＴＳ５１の境界で鋸歯状にレベルが変化するパターンを有する。
【０１２３】
また、モードｍ５からモードｍ６に切り換わる際に、線間電圧発生区間ＴＳ５３、ＴＳ６１について−側相に共通するＳ相があるので、線間電圧発生区間ＴＳ５３、ＴＳ６１に跨って上側に山型にレベルが変化するパターンを有する。
【０１２４】
このように、立ち上がりと立ち下がりの鋸歯状波を組み合わせて１つのキャリア波形パターン（第２のキャリア波形パターンＣＷ２）を構成することで、各スイッチング周期Ｔにおける各相の選択が１回になるようにすることができる。すなわち、最大電圧相は、必ず＋側相であり、最小電圧相は、必ず−側相である。中間電圧相は、最大電圧相に対しては、−側相となり、最小電圧相に対しては、＋側相になる。＋側相は、第２の制御信号（例えば、Ｐ相制御信号ＲＷａ）が第２のキャリア波形パターンＣＷ２より大きくなる期間を選択し、−側相は、第２の制御信号（例えば、Ｐ相制御信号ＲＷａ）が第２のキャリア波形パターンＣＷ２より小さくなる期間を選択するようにする。この場合、下側に山型になるように立ち下がりの鋸歯状波と立ち上がりの鋸歯状波とを連続させると最大電圧相の選択は１回で済む。また、上側に山型になるように立ち上がりの鋸歯状波と立ち下がりの鋸歯状波とを連続させると最小電圧相の選択は１回で済む。これにより、各モード内において、各双方向スイッチＳＲＰ〜ＳＴＮについてスイッチング周期Ｔごとに１回のスイッチング回数を実現できる。また、モードが切り換わる際においても、実質的に、各双方向スイッチＳＲＰ〜ＳＴＮについてスイッチング周期Ｔごとに１回のスイッチング回数を実現できる。言い換えると、各モード内とモード間の切り換わりとで、同様の制御を実現できるので、切り替わりに伴う断続により発生する出力電圧の揺らぎ（デッドタイム等による揺らぎ）を低減でき、切り替わり目のショックも低減できる。
【０１２５】
また、複数の線間電圧発生区間に跨って各双方向スイッチＳＲＰ〜ＳＴＰのスイッチング信号φＳＲＰ〜φＳＴＰをＯＮレベルに維持できるので、図５〜図１０の（ｇ）に示すように、双方向スイッチＳＲＰ〜ＳＴＰのスイッチング信号φＳＲＰ〜φＳＴＰのパルス幅を広く確保できる。なお、双方向スイッチＳＲＮ〜ＳＴＮのスイッチング信号φＳＲＮ〜φＳＴＮについても同様である。すなわち、パルス幅を低負荷時でもデッドタイムに比べて大きく確保できるので、低負荷時における波形の歪率を高負荷時と同等程度に抑制できる。
【０１２６】
なお、上述した実施の形態における仮想ＡＣ／ＤＣ変換処理では、各スイッチング周期Ｔの出力電圧の平均は常に一定である。また、直流電流は、入力電圧の比で入力電流に分配される。さらに、出力電力が一定の時、この入力電流は、３相交流波形（例えば、正弦波）となる。
【０１２７】
すなわち、
１）仮想ＡＣ／ＤＣ変換処理における入力電流は、仮想ＤＣ／ＤＣ変換処理による出力電力が一定である時、３相交流波形（例えば、正弦波）とすることができる。通常、短時間（０．１秒程度）では、電力は一定である。
２）仮想ＤＣ／ＤＣ変換処理による出力電圧は、変調信号（第２の制御信号）と同様な信号で得ることができる。 
【０１２８】
（実験結果）
図１１は、電流方向Ｆ、すなわち３相交流電源ＰＳ側から蓄電池ＬＤ側に電力を供給する場合における各部の電流及び電圧の変化を示すタイミングチャートである。図１１（ａ）は、Ｒ相の電圧ＶＲを示している。系統相電圧は、実効値で１１５Ｖである。電流ＩＲは、Ｒ相の電流ＩＲを示している。図１１（ｃ）に示した平均直流電圧Ｖaveは、上述したように、例えば図５（ｈ）に示したスイッチング周期Ｔの平均電圧である。この平均直流電圧Ｖaveは実質、８５Ｖの直流電圧に相当しており、図１１（ｅ）に示した蓄電池ＬＤ側のＰＮ相間電圧Ｖｂ（＝８０Ｖ）に比して大きくなっている。そして、図１１（ｄ）に示すように、蓄電池ＬＤ側に流れる電流Ｉｂは、２５Ａである。
【０１２９】
一方、図１２は、電流方向Ｂ、すなわち蓄電池ＬＤ側から３相交流電源ＰＳ側に電力を供給する場合における各部の電流及び電圧の変化を示すタイミングチャートである。図１２（ａ）は、Ｒ相の電圧ＶＲを示している。系統相電圧は、１１５Ｖである。電流ＩＲは、Ｒ相の電流ＩＲを示している。図１２（ｃ）に示した平均直流電圧Ｖaveは、上述したように、例えば図５（ｈ）に示したスイッチング周期Ｔの平均電圧である。この平均直流電圧Ｖaveは実質、７５Ｖの直流電圧に相当しており、図１２（ｅ）に示した蓄電池ＬＤ側のＰＮ相間電圧Ｖｂ（＝８０Ｖ）に比して小さくなっている。そして、図１２（ｄ）に示すように、蓄電池ＬＤ側から３相交流電源ＰＳ側に流れる電流Ｉｂは、電流方向を加味して−２５Ａとなっている。なお、電流ＩＲは、電圧ＶＲに対して位相がずれており、負の電力となっている。
【０１３０】
この実施の形態では、蓄電池ＬＤ側の直流電圧を系統電圧以上に上げなくてもＤＣ／ＡＣ変換が可能となるので、昇圧チョッパが不要となる。また、上述した実施の形態では、従来、３相交流電力側の各相に３つのリアクトルを設けていたが、入出力３相交流は正弦波となるため、この３つのリアクトルは不要となり、蓄電池ＬＤ側に配置した１つのリアクトル３０を設けるのみでよい。さらに、上述した実施の形態では、蓄電池ＬＤに対する充放電は、ＰＮ相間電圧Ｖｂと平均直流電圧Ｖaveとの大きさを設定制御するのみで容易に行うことができる。
【０１３１】
また、上述した実施の形態では、制御部２０は、入力された３相交流電力に対して、入力された３相交流電力における各相の電圧の大小関係に応じて区分された複数のモードｍ１〜ｍ６に応じて異なる仮想ＡＣ／ＤＣ変換処理を行い、仮想ＡＣ／ＤＣ変換処理が行われた電力に対して、複数のモードｍ１〜ｍ６に応じて異なる仮想ＤＣ／ＤＣ変換処理を行うように、双方向スイッチ回路１０のスイッチングパターンを生成する。具体的には、制御部２０は、入力された３相交流電力に対して、複数のモードｍ１〜ｍ６に応じて異なる第１のキャリア波形パターンＣＷ１１〜ＣＷ１３を用いて仮想ＡＣ／ＤＣ変換処理を行い、仮想ＡＣ／ＤＣ変換処理が行われた電力に対して、複数のモードｍ１〜ｍ６に応じて異なる第２のキャリア波形パターンＣＷ２１〜ＣＷ２６を用いて仮想ＤＣ／ＤＣ変換処理を行うように、双方向スイッチ回路１０のスイッチングパターンを生成する。これにより、マトリクス演算のような複雑な演算を行うことなく、簡易な処理で３相交流電力と直流電力との間の電力変換を相互、かつ、直接に行うことができる。 
【０１３２】
また、上述した実施の形態では、制御部２０は、複数のモードｍ１〜ｍ６のそれぞれにおいて、第１のキャリア波形パターンＣＷ１１〜ＣＷ１３と入力側の相（Ｒ相、Ｓ相、Ｔ相）に対応した第１の制御信号（例えば、図５〜図１０の（ａ）に示した電圧｜ａ｜、電圧｜ｃ｜、電圧（｜ｂ｜＋｜ｃ｜−１）、電圧（｜ａ｜＋｜ｂ｜−１））とを比較して、複数の線間電圧発生区間ＴＳ１１〜ＴＳ６３を求める。そして、制御部２０は、複数の線間電圧発生区間ＴＳ１１〜ＴＳ６３に対応した第２のキャリア波形パターンＣＷ２１〜ＣＷ２６を生成し、生成された第２のキャリア波形パターンＣＷ２１〜ＣＷ２６と出力側の相（Ｐ相、Ｎ相）に対応した第２の制御信号（例えば、図５〜図１０の（ｅ）、（ｆ）に示したＰ相の信号レベルＧ１、Ｎ相の信号レベルＧ２）とを比較して、双方向スイッチ回路１０のスイッチングパターンを生成する。これにより、複雑なマトリクス演算を行うことなく、仮想ＡＣ／ＤＣ変換処理及び仮想ＤＣ／ＤＣ変換処理を簡易に行うことができる。 
【０１３３】
さらに、上述した実施の形態では、制御部２０は、入力された３相交流電力における最大電圧相、最小電圧相、及び中間電圧相を認識する。そして、制御部２０は、１スイッチング周期Ｔ中の複数の線間電圧発生区間を、中間電圧相及び最小電圧相に対応した第１の区間と、最大電圧相及び最小電圧相に対応した第２の区間と、最大電圧相及び中間電圧相に対応した第３の区間とに分けて求める。第１の区間は、例えば、図５〜図１０に示す線間電圧発生区間ＴＳ１１、ＴＳ２２、ＴＳ３２、ＴＳ４３、ＴＳ５３、ＴＳ６１を含む。第２の区間は、例えば、図５〜図１０に示す線間電圧発生区間ＴＳ１２、ＴＳ２１、ＴＳ３３、ＴＳ４２、ＴＳ５１、ＴＳ６３を含む。第３の区間は、例えば、図５〜図１０に示す線間電圧発生区間ＴＳ１３、ＴＳ２３、ＴＳ３１、ＴＳ４１、ＴＳ５２、ＴＳ６２を含む。従って、１スイッチング周期Ｔ中に最大−最小、最大−中間、中間−最小の３種類の線間電圧を仮想的に発生でき、電流の引き算等の物理現象を利用してその仮想的な線間電圧により仮想的な直流電圧を略一定にすることができ、略一定の仮想的な直流電圧から、各々の電圧区間で作成する第２のキャリア波形パターンと第２の制御信号とをコンパレートしてスイッチング信号を生成できる。これにより、第１の制御信号を正弦波とし、第２の制御信号を直流とすることで、直流／交流系統連系装置１の入力電流を容易に正弦波とし、出力電圧を直流とすることができる。
【０１３４】
また、上述した実施の形態では、第２のキャリア波形パターンＣＷ２１〜ＣＷ２６（図５〜図１０の（ｅ）、（ｆ）参照）は、複数の線間電圧発生区間のうち連続する２つの区間に跨って山型にレベルが変化するパターンを有する。これにより、各スイッチング周期Ｔにおけるスイッチング回数を低減できるので、双方向スイッチ回路１０における各双方向スイッチＳＲＰ〜ＳＴＮのスイッチング損失を低減できる。
【０１３５】
さらに、上述した実施の形態では、第２のキャリア波形パターンＣＷ２１〜ＣＷ２６（図５〜図１０の（ｅ）、（ｆ）参照）が複数の線間電圧発生区間のうち連続する２つの区間に跨って山型にレベルが変化するパターンを有するので、双方向スイッチ回路１０における各双方向スイッチＳＲＰ〜ＳＴＮのスイッチング信号φＳＲＰ〜φＳＴＮのパルス幅を容易に広く確保できる。これにより、転流の失敗を低減できる。また、電力の変換効率を向上できる。
【０１３６】
また、上述した実施の形態では、制御部２０は、入力された３相交流電力における最大電圧相、最小電圧相、及び中間電圧相を認識する。制御部２０により生成される第２のキャリア波形パターンＣＷ２１〜ＣＷ２６は、複数の線間電圧発生区間のそれぞれにおける２つの電圧相のうちレベルの大きい電圧相を＋側相としレベルの小さい電圧相を−側相とするとき、モードが切り換わる際に＋側相または−側相に共通する相がある場合、切り換わる２つのモードに跨って山型にレベルが連続するパターンを有し、モードが切り換わる際に＋側相と−側相との間で反転する相がある場合、切り換わる２つのモードの境界で鋸歯状にレベルが変化するパターンを有する。これにより、モードが切り換わる際においても、実質的に、各双方向スイッチＳＲＰ〜ＳＴＮについてスイッチング周期Ｔごとに１回のスイッチング回数を実現できる。言い換えると、各モード内とモード間の切り換わりとで、同様の制御を実現できるので、切り替わり目のショックも低減できる。
【０１３７】
さらに、上述した実施の形態では、入力交流電圧の２相の交差点を差電圧のゼロクロス点を求め、このゼロクロス点を同期信号として各相の入力交流電圧を推定することもできる。この場合、各相の入力交流電圧を検出する場合に比べて、簡易に直流／交流系統連系装置を構成できる。
【符号の説明】
【０１３８】
１  直流／交流系統連系装置
１０  双方向スイッチ回路
２０  制御部
２１  同期信号検出部
２２  第１のキャリア波形パターン発生部
２３  位相情報生成部
２４  第２のキャリア波形パターン発生部
２７  反転器
２８  スイッチ制御部
３０  リアクトル
４０  入力コンデンサ
４１〜４３  コンデンサ
５０  電流設定部
５１  電流検出部
５２  電流調整部
ＣＰ  Ｐ相コンパレータ
ＣＮ  Ｎ相コンパレータ
ＬＤ  蓄電池
ＰＳ  ３相交流電源
Ｇ１，Ｇ２  信号レベル
ＳＷ  双方向スイッチ群
ＳＲＰ，ＳＳＰ，ＳＴＰ，ＳＲＮ，ＳＳＮ，ＳＴＮ  双方向スイッチ
【要約】
【課題】簡易な構成で、直流電力と交流電力との間の電力変換を相互、かつ、直接に行うことができること。
【解決手段】双方向スイッチ回路１０と、３相交流電力における各相の電圧の大小関係に応じて区分された複数のモードに応じて所定スイッチング周期で前記３相交流電力のうち２相を選択する複数の線間電圧発生区間を求める仮想ＡＣ／ＤＣ変換処理を行い、前記複数のモードに応じた第２のキャリア波形パターンＣＷ２と出力側の相に対応したＰ相の信号レベルＧ１とから、複数の線間電圧発生区間に対応して仮想ＤＣ／ＡＣ変換処理を行うように、双方向スイッチ回路１０のスイッチングパターンを生成する制御部２０と、電力線ＬＵに流れる電流の電流方向と電流量とを入力する電流設定部５０と、電力線ＬＵの電流方向と電流量とを検出する電流検出部５１と、入力した電流方向と電流量とになるように信号レベルＧ１を増減する電流調整部５２と、を備える。
【選択図】図１【図１】
0006015800.tif 000002
【図２】
0006015800.tif 000003
【図３】
0006015800.tif 000004
【図４】
0006015800.tif 000005
【図５】
0006015800.tif 000006
【図６】
0006015800.tif 000007
【図７】
0006015800.tif 000008
【図８】
0006015800.tif 000009
【図９】
0006015800.tif 000010
【図１０】
0006015800.tif 000011
【図１１】
0006015800.tif 000012
【図１２】
0006015800.tif 000013